(57)【要約】      （修正有）【課題】小カバレージ基地局をアドホックな方法で展開する技法を提供する。【解決手段】アクセスポイントは、獲得した情報に基づいて構成され、アクセスポイントによって送信するべき識別子は、少なくとも１つの他のアクセスポイントによって送信された（１つまたは複数の）識別子に基づいて選択する。アクセスポイントは、構成サーバからの支援を用いてそれ自体を構成する。アクセスポイントは、アクセスポイントのロケーションなどの情報を構成サーバに送信し、構成サーバは、そのアクセスポイントに対して隣接するアクセスポイントのリストで応答する。構成サーバは、アクセスポイントのロケーションに基づいて、構成情報をアクセスポイントに与える。また、アクセスポイントを異なる構成サーバにダイレクトする。【選択図】図３
2015062303.tif 000002
【特許請求の範囲】
【請求項１】
通信の方法であって、
アクセスポイントにおいて、少なくとも１つの他のアクセスポイントによって送信された少なくとも１つの識別子を判断することと、
前記少なくとも１つの識別子に基づいて前記アクセスポイントによって送信されるべき識別子を選択することと
を備える方法。
【請求項２】
前記選択された識別子が、パイロット識別子、物理セル識別子、またはプライマリスクランブル系列を備える、請求項１に記載の方法。
【請求項３】
前記アクセスポイントがｅＮｏｄｅＢを備え、前記少なくとも１つの他のアクセスポイントが少なくとも１つの他のｅＮｏｄｅＢを備える、請求項２に記載の方法。
【請求項４】
前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、請求項２に記載の方法。
【請求項５】
前記物理セル識別子の前記選択が、前記削除の後、前記リストから物理セル識別子をランダムに選択することを備える、請求項４に記載の方法。
【請求項６】
前記識別子の前記選択が、前記少なくとも１つの他のアクセスポイントによって使用されない識別子を選択することを備える、請求項１に記載の方法。
【請求項７】
前記識別子の前記選択が、識別子のリストから前記識別子を選択することを備える、請求項１に記載の方法。
【請求項８】
前記リストが識別子のセットのうちのサブセットを備える、請求項７に記載の方法。
【請求項９】
前記識別子の前記選択が、前記リストからランダムな方法で前記識別子を選択することをさらに備える、請求項７に記載の方法。
【請求項１０】
構成サーバから前記リストを受信することをさらに備える、請求項７に記載の方法。
【請求項１１】
前記構成サーバが動作課金管理エンティティを備える、請求項１０に記載の方法。
【請求項１２】
前記リストがオペレータ構成可能である、請求項７に記載の方法。
【請求項１３】
前記リストが、アクセスポイントの少なくとも１つの指定されたタイプに関連付けられた、請求項７に記載の方法。
【請求項１４】
前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、請求項１３に記載の方法。
【請求項１５】
前記アクセスポイントのタイプを示す情報をサーバに送信することと、
前記サーバから、前記タイプに基づく前記リストを受信することと
をさらに備える、請求項７に記載の方法。
【請求項１６】
前記リストが地理的領域に関連付けられた、請求項７に記載の方法。
【請求項１７】
前記リストが前記アクセスポイントのロケーションに基づく、請求項７に記載の方法。
【請求項１８】
前記アクセスポイントのロケーションを示す情報をサーバに送信することと、
前記サーバから、前記ロケーションを示す前記情報に基づく前記リストを受信することと
をさらに備える、請求項７に記載の方法。
【請求項１９】
前記少なくとも１つの識別子の前記判断が、前記少なくとも１つの他のアクセスポイントから無線で識別子情報を受信することを備える、請求項１に記載の方法。
【請求項２０】
前記少なくとも１つの識別子の前記判断が、少なくとも１つの関連するユーザ機器から識別子情報を受信することを備える、請求項１に記載の方法。
【請求項２１】
前記少なくとも１つの識別子の前記判断が、バックホールを介して識別子情報を受信することを備える、請求項１に記載の方法。
【請求項２２】
前記少なくとも１つの識別子の前記判断が、前記少なくとも１つの識別子を含む少なくとも１つのネイバー報告を受信することを備える、請求項１に記載の方法。
【請求項２３】
前記少なくとも１つの識別子の前記判断が、少なくとも１つのマルチホップネイバーアクセスポイントの少なくとも１つの識別子を受信することを備える、請求項１に記載の方法。
【請求項２４】
前記少なくとも１つのマルチホップネイバーアクセスポイントの前記少なくとも１つの識別子が、少なくとも１つのネイバー報告によって受信される、請求項２３に記載の方法。
【請求項２５】
前記アクセスポイントのための前記識別子の前記選択が、
前記アクセスポイントへのホップの関連する数に従って、前記少なくとも１つの識別子の各識別子を分類することと、
競合しない識別子が利用可能でない場合、前記分類に基づいて識別子を選択することと
を備える、請求項２３に記載の方法。
【請求項２６】
前記少なくとも１つの識別子の前記判断が、
第１のホップアクセスポイントから、第２のホップまたは第３のホップアクセスポイントに関係する情報を受信することと、
前記第２のホップまたは第３のホップアクセスポイントによって使用される識別子を判断するために、前記第２のホップまたは第３のホップアクセスポイントと通信することとを備える、請求項１に記載の方法。
【請求項２７】
前記少なくとも１つの他のアクセスポイントの１つから第１のネイバー報告を受信することと、
前記第１のネイバー報告によって識別された任意のアクセスポイントを識別する第２のネイバー報告を生成することと、
ネイバー発見要求に応答して前記第２のネイバー報告を送信することと
をさらに備える、請求項１に記載の方法。
【請求項２８】
少なくとも１つのネイバーアクセスポイントから無線で信号を受信することによって前記少なくとも１つの他のアクセスポイントを識別することをさらに備える、請求項１に記載の方法。
【請求項２９】
構成サーバから少なくとも１つのネイバーアクセスポイントの指示を受信することによって前記少なくとも１つの他のアクセスポイントを識別することをさらに備える、請求項１に記載の方法。
【請求項３０】
前記判断された少なくとも１つの識別子と前記アクセスポイントのために前に指定された識別子との間の競合を識別することと、
前記競合の前記識別に応答して前記アクセスポイントのための競合しない識別子を指定することと
をさらに備える、請求項１に記載の方法。
【請求項３１】
前記競合の前記識別が、関連するユーザ機器から前記競合の指示を受信することを備える、請求項３０に記載の方法。
【請求項３２】
前記アクセスポイントがフェムトノードまたはリレーノードを備える、請求項１に記載の方法。
【請求項３３】
通信のための装置であって、
アクセスポイントにおいて、少なくとも１つの他のアクセスポイントによって送信された少なくとも１つの識別子を判断するように構成された識別子判断器と、
前記少なくとも１つの識別子に基づいて前記アクセスポイントによって送信されるべき識別子を選択するように構成された識別子選択器と
を備える装置。
【請求項３４】
前記選択された識別子が、パイロット識別子、物理セル識別子、またはプライマリスクランブル系列を備える、請求項３３に記載の装置。
【請求項３５】
前記アクセスポイントがｅＮｏｄｅＢを備え、前記少なくとも１つの他のアクセスポイントが少なくとも１つの他のｅＮｏｄｅＢを備える、請求項３４に記載の装置。
【請求項３６】
前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、請求項３４に記載の装置。
【請求項３７】
前記物理セル識別子の前記選択が、前記削除の後、前記リストから物理セル識別子をランダムに選択することを備える、請求項３６に記載の装置。
【請求項３８】
前記識別子の前記選択が、前記少なくとも１つの他のアクセスポイントによって使用されない識別子を選択することを備える、請求項３３に記載の装置。
【請求項３９】
前記識別子の前記選択が、識別子のリストから前記識別子を選択することを備える、請求項３３に記載の装置。
【請求項４０】
前記リストが識別子のセットのうちのサブセットを備える、請求項３９に記載の装置。
【請求項４１】
前記識別子の前記選択が、前記リストからランダムな方法で前記識別子を選択することをさらに備える、請求項３９に記載の装置。
【請求項４２】
前記リストが、アクセスポイントの少なくとも１つの指定されたタイプに関連付けられた、請求項３９に記載の装置。
【請求項４３】
前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、請求項４２に記載の装置。
【請求項４４】
前記リストが地理的領域に関連付けられた、請求項３９に記載の装置。
【請求項４５】
前記リストが前記アクセスポイントのロケーションに基づく、請求項３９に記載の装置。
【請求項４６】
前記少なくとも１つの識別子の前記判断が、前記少なくとも１つの他のアクセスポイントから無線で識別子情報を受信することを備える、請求項３３に記載の装置。
【請求項４７】
前記少なくとも１つの識別子の前記判断が、少なくとも１つの関連するユーザ機器から識別子情報を受信することを備える、請求項３３に記載の装置。
【請求項４８】
前記少なくとも１つの識別子の前記判断が、バックホールを介して識別子情報を受信することを備える、請求項３３に記載の装置。
【請求項４９】
前記少なくとも１つの識別子の前記判断が、前記少なくとも１つの識別子を含む少なくとも１つのネイバー報告を受信することを備える、請求項３３に記載の装置。
【請求項５０】
前記少なくとも１つの識別子の前記判断が、少なくとも１つのマルチホップネイバーアクセスポイントの少なくとも１つの識別子を受信することを備える、請求項３３に記載の装置。
【請求項５１】
前記少なくとも１つのマルチホップネイバーアクセスポイントの前記少なくとも１つの識別子が、少なくとも１つのネイバー報告によって受信される、請求項５０に記載の装置。
【請求項５２】
通信のための装置であって、
アクセスポイントにおいて、少なくとも１つの他のアクセスポイントによって送信された少なくとも１つの識別子を判断するための手段と、
前記少なくとも１つの識別子に基づいて前記アクセスポイントによって送信されるべき識別子を選択するための手段と
を備える装置。
【請求項５３】
前記選択された識別子が、パイロット識別子、物理セル識別子、またはプライマリスクランブル系列を備える、請求項５２に記載の装置。
【請求項５４】
前記アクセスポイントがｅＮｏｄｅＢを備え、前記少なくとも１つの他のアクセスポイントが少なくとも１つの他のｅＮｏｄｅＢを備える、請求項５３に記載の装置。
【請求項５５】
前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、請求項５３に記載の装置。
【請求項５６】
前記物理セル識別子の前記選択が、前記削除の後、前記リストから物理セル識別子をランダムに選択することを備える、請求項５５に記載の装置。
【請求項５７】
前記識別子の前記選択が、前記少なくとも１つの他のアクセスポイントによって使用されない識別子を選択することを備える、請求項５２に記載の装置。
【請求項５８】
前記識別子の前記選択が、識別子のリストから前記識別子を選択することを備える、請求項５２に記載の装置。
【請求項５９】
前記リストが識別子のセットのうちのサブセットを備える、請求項５８に記載の装置。
【請求項６０】
前記識別子の前記選択が、前記リストからランダムな方法で前記識別子を選択することをさらに備える、請求項５８に記載の装置。
【請求項６１】
前記リストが、アクセスポイントの少なくとも１つの指定されたタイプに関連付けられた、請求項５８に記載の装置。
【請求項６２】
前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、請求項６１に記載の装置。
【請求項６３】
前記リストが地理的領域に関連付けられた、請求項５８に記載の装置。
【請求項６４】
前記リストが前記アクセスポイントのロケーションに基づく、請求項５８に記載の装置。
【請求項６５】
前記少なくとも１つの識別子の前記判断が、前記少なくとも１つの他のアクセスポイントから無線で識別子情報を受信することを備える、請求項５２に記載の装置。
【請求項６６】
前記少なくとも１つの識別子の前記判断が、少なくとも１つの関連するユーザ機器から識別子情報を受信することを備える、請求項５２に記載の装置。
【請求項６７】
前記少なくとも１つの識別子の前記判断が、バックホールを介して識別子情報を受信することを備える、請求項５２に記載の装置。
【請求項６８】
前記少なくとも１つの識別子の前記判断が、前記少なくとも１つの識別子を含む少なくとも１つのネイバー報告を受信することを備える、請求項５２に記載の装置。
【請求項６９】
前記少なくとも１つの識別子の前記判断が、少なくとも１つのマルチホップネイバーアクセスポイントの少なくとも１つの識別子を受信することを備える、請求項５２に記載の装置。
【請求項７０】
前記少なくとも１つのマルチホップネイバーアクセスポイントの前記少なくとも１つの識別子が、少なくとも１つのネイバー報告によって受信される、請求項６９に記載の装置。
【請求項７１】
アクセスポイントにおいて、少なくとも１つの他のアクセスポイントによって送信された少なくとも１つの識別子を判断することと、
前記少なくとも１つの識別子に基づいて前記アクセスポイントによって送信されるべき識別子を選択することと
をコンピュータに行わせるためのコードを備えるコンピュータ可読媒体を備えるコンピュータプログラム製品。
【請求項７２】
前記選択された識別子が、パイロット識別子、物理セル識別子、またはプライマリスクランブル系列を備える、請求項７１に記載のコンピュータプログラム製品。
【請求項７３】
前記アクセスポイントがｅＮｏｄｅＢを備え、前記少なくとも１つの他のアクセスポイントが少なくとも１つの他のｅＮｏｄｅＢを備える、請求項７２に記載のコンピュータプログラム製品。
【請求項７４】
前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、請求項７２に記載のコンピュータプログラム製品。
【請求項７５】
前記物理セル識別子の前記選択が、前記削除の後、前記リストから物理セル識別子をランダムに選択することを備える、請求項７４に記載のコンピュータプログラム製品。
【請求項７６】
前記識別子の前記選択が、前記少なくとも１つの他のアクセスポイントによって使用されない識別子を選択することを備える、請求項７１に記載のコンピュータプログラム製品。
【請求項７７】
前記識別子の前記選択が、識別子のリストから前記識別子を選択することを備える、請求項７１に記載のコンピュータプログラム製品。
【請求項７８】
前記リストが、アクセスポイントの少なくとも１つの指定されたタイプに関連付けられた、請求項７７に記載のコンピュータプログラム製品。
【請求項７９】
前記リストが前記アクセスポイントのロケーションに基づく、請求項７７に記載のコンピュータプログラム製品。
【請求項８０】
前記少なくとも１つの識別子の前記判断が、前記少なくとも１つの他のアクセスポイントから無線で識別子情報を受信することと、少なくとも１つの関連するユーザ機器から識別子情報を受信することと、バックホールを介して識別子情報を受信することと、前記少なくとも１つの識別子を含む少なくとも１つのネイバー報告を受信することとからなるグループのうちの少なくとも１つを備える、請求項７１に記載のコンピュータプログラム製品。
【発明の詳細な説明】
【米国特許法第１１９条に基づく優先権の主張】
【０００１】
本出願は、各々の開示が参照により本明細書に組み込まれる、２００７年１１月１９日に出願され、代理人整理番号０７２３５９Ｐ１を付与された、同一出願人が所有する米国特許仮出願第６０／９８９，０５４号、２００７年１１月１９日に出願され、代理人整理番号０７２３６０Ｐ１を付与された米国特許仮出願第６０／９８９，０５７号、２００８年２月１日に出願され、代理人整理番号０８０７４４Ｐ１を付与された米国特許仮出願第６１／０２５，６８３号の利益および優先権を主張する。
【技術分野】
【０００２】
本出願は、一般に通信に関し、より詳細には、限定はしないが、通信ノードを構成することに関する。
【背景技術】
【０００３】
序論
ワイヤレス通信システムは、様々なタイプの通信（たとえば、音声、データ、マルチメディアサービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
従来のモバイル電話ネットワーク基地局（たとえば、マクロセル）を補うために、小カバレージ基地局を展開（たとえば、ユーザの家庭に設置）して、よりロバストな屋内ワイヤレスカバレージをモバイルユニットに与えることができる。そのような小カバレージ基地局は、アクセスポイント基地局、Ｈｏｍｅ ＮｏｄｅＢまたはフェムトセルとして一般に知られている。一般に、そのような小カバレージ基地局は、ＤＳＬルータまたはケーブルモデムを介してインターネットおよびバイルオペレータのネットワークに接続される。
【０００５】
実際問題として、これらの小カバレージ基地局はアドホックな方法で、比較的多数展開されることがある。したがって、そのような基地局を構成するための改善された技法が必要である。
【発明の概要】
【０００６】
本開示の例示的な態様の概要について以下で説明する。本明細書における態様という用語への言及は、本開示の１つまたは複数の態様を参照する可能性があることを理解されたい。
【０００７】
本開示は、ある態様では、アクセスポイントを構成することに関する。様々なシナリオでは、そのようなアクセスポイントは、フェムトノード、リレーノード、ピコノード、または何らかの他のタイプのノードの形態をとることができる。
【０００８】
本開示は、ある態様では、少なくとも１つの他のアクセスポイントの（１つまたは複数の）構成に基づいてアクセスポイントを構成することに関する。たとえば、アクセスポイントは、少なくとも１つの隣接するアクセスポイントの（１つまたは複数の）構成を示す構成情報を獲得し、獲得された構成情報に基づいて１つまたは複数の構成パラメータを選択することができる。
【０００９】
本開示は、ある態様では、アクセスポイントによって使用される（すなわち、送信される）識別子を判断することに関する。たとえば、アクセスポイントは、少なくとも１つの他のアクセスポイントによって使用される（すなわち、送信される）（１つまたは複数の）識別子に基づいて、識別子を選択することができる。これらの識別子は、たとえば、パイロット識別子（たとえば、物理セル識別子）を備えることができる。便宜上、本明細書における説明では、そのような識別子をパイロット識別子と呼ぶ。
【００１０】
本開示は、ある態様では、アクセスポイントの自律構成に関する。たとえば、アクセスポイントが（たとえば、展開、電源投入またはリセット時に）初期化されると、アクセスポイントは、そのロケーションを判断することができ、次いで、（たとえば、そのロケーションに基づいて構成を判断することによって）それ自体を構成することができる。ここで、アクセスポイントは、高周波（「ＲＦ」）パラメータ、最適化パラメータ、または他のパラメータを判断することができる。たとえば、アクセスポイントは、パイロット識別子、搬送周波数、電力プロファイル、何らかの他のパラメータ、またはこれらのパラメータの２つ以上の組合せを判断することができる。
【００１１】
本開示は、ある態様では、構成サーバからの支援を用いてそれ自体を構成するアクセスポイントに関する。たとえば、アクセスポイントは、アクセスポイントのロケーションなどの情報を構成サーバに送信することができ、構成サーバは、そのアクセスポイントに対して任意の隣接するアクセスポイントのリストで応答することができる。次いで、アクセスポイントは、識別された隣接する（１つまたは複数の）アクセスポイントの（１つまたは複数の）構成を示す構成情報を獲得し、獲得された構成情報に基づいて１つまたは複数の構成パラメータを選択することができる。
【００１２】
本開示は、いくつかの態様では、構成情報をアクセスポイントに与えることに関する。たとえば、構成サーバは、アクセスポイントのロケーションに基づいて、構成情報をアクセスポイントに与えることができる。
【００１３】
本開示は、いくつかの態様では、アクセスポイントを構成サーバにダイレクトすることに関する。たとえば、構成サーバは、構成情報のためにアクセスポイントを別の構成サーバにダイレクトすることができる。
【００１４】
本開示のこれらおよび他の例示的な態様について、以下の詳細な説明および添付の特許請求の範囲、ならびに添付の図面において説明する。
【図面の簡単な説明】
【００１５】
【図１】アクセスポイントが受信情報に基づいて構成される通信システムのいくつかの例示的な態様の簡略ブロック図。
【図２】ワイヤレス通信のための例示的なカバレージエリアを示す簡略図。
【図３】アクセスポイントを構成するために実行される動作のいくつかの例示的な態様のフローチャート。
【図４】通信ノード中で採用される構成要素のいくつかの例示的な態様の簡略化ブロック図。
【図５】ネイバー発見に関係する例示的な動作を示す簡略図。
【図６】ネイバー発見に関係する例示的な動作を示す簡略図。
【図７】１つまたは複数の隣接するノードの構成に基づいて、アクセスポイントを構成するために実行される動作のいくつかの例示的な態様のフローチャート。
【図８】通信ノード中で採用される構成要素のいくつかの例示的な態様の簡略化ブロック図。
【図９】ロケーションに基づいてアクセスポイントを構成するために実行される動作のいくつかの例示的な態様のフローチャート。
【図１０】受信された構成情報に基づいてアクセスポイントを構成するために実行される動作のいくつかの例示的な態様のフローチャート。
【図１１】アクセスポイントを構成サーバにダイレクトするために実行される動作のいくつかの例示的な態様のフローチャート。
【図１２】ワイヤレス通信システムの簡略図。
【図１３】フェムトノードを含むワイヤレス通信システムの簡略図。
【図１４】通信構成要素のいくつかの例示的な態様の簡略ブロック図。
【図１５】本明細書で教示する構成関連動作を実行するように構成された装置のいくつかの例示的な態様の簡略化ブロック図。
【図１６】本明細書で教示する構成関連動作を実行するように構成された装置のいくつかの例示的な態様の簡略化ブロック図。
【図１７】本明細書で教示する構成関連動作を実行するように構成された装置のいくつかの例示的な態様の簡略化ブロック図。
【図１８】本明細書で教示する構成関連動作を実行するように構成された装置のいくつかの例示的な態様の簡略化ブロック図。
【図１９】本明細書で教示する構成関連動作を実行するように構成された装置のいくつかの例示的な態様の簡略化ブロック図。
【図２０】本明細書で教示する構成関連動作を実行するように構成された装置のいくつかの例示的な態様の簡略化ブロック図。
【図２１】本明細書で教示する構成関連動作を実行するように構成された装置のいくつかの例示的な態様の簡略化ブロック図。
【図２２】本明細書で教示する構成関連動作を実行するように構成された装置のいくつかの例示的な態様の簡略化ブロック図。
【発明を実施するための形態】
【００１６】
慣例により、図面中に示される様々な特徴は一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１７】
本開示の様々な態様について以下で説明する。本明細書の教示が多種多様な形で実施でき、本明細書で開示された特定の構造、機能またはその両方は代表的なものにすぎないことは明らかであろう。本明細書の教示に基づいて、本明細書で開示される態様は他の態様とは独立に実装できること、およびこれらの態様のうちの２つ以上を様々な方法で組み合わせることができることを、当業者なら諒解されたい。たとえば、本明細書に記載の態様をいくつ使用しても、装置を実現し、または方法を実施することができる。さらに、本明細書で説明した態様の１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。
【００１８】
図１に、例示的な通信システム１００（たとえば、通信ネットワークの一部）中のいくつかのノードを示す。説明のために、本開示の様々な態様について、互いに通信する１つまたは複数のアクセス端末、アクセスポイント、およびネットワークノードの文脈で説明する。ただし、本明細書の教示は、他のタイプの装置、または他の用語を使用して参照される他の同様の装置に適用可能であることを諒解されたい。たとえば、本明細書で教示するアクセスポイントを、基地局、ｅＮｏｄｅＢ、Ｈｏｍｅ ｅＮｏｄｅＢなどとして実装する、または呼ぶことができる。また、本明細書で教示するアクセス端末を、モバイル、ユーザ機器などとして実装する、または呼ぶことができる。さらに、ネットワークノードを、構成サーバ、動作課金管理（「ＯＡＭ」）エンティティ、モビリティマネージャなどとして実装する、または呼ぶことができる。他の例示的な用語を以下の説明に記載する。
【００１９】
システム１００中のアクセスポイントは、１つまたは複数のサービス（たとえば、ネットワーク接続性）を、関連する地理的エリア内に設置されるか、または関連する地理的エリア全体にわたってローミングする１つまたは複数のワイヤレス端末（たとえば、アクセス端末１０２）に提供する。たとえば、様々な時点で、アクセス端末１０２は、アクセスポイント１０４またはアクセスポイント１０６に接続することができる。アクセスポイント１０４および１０６の各々は、ワイドエリアネットワーク接続性を可能にするために、（便宜上、ネットワークノード１０８によって表される）１つまたは複数のネットワークノードと通信することができる。そのようなネットワークノードは、（たとえば、上述のように、または、何らかの他の好適なネットワークエンティティとして実装される）たとえば、１つまたは複数の無線および／またはコアネットワークエンティティなどの様々な形態をとることができる。
【００２０】
いくつかの態様では、アクセスポイント１０４などのアクセスポイントの構成は、有利には、アクセスポイントにおいて構成機能を行うことによって達成できる。たとえば、比較的多数のアクセスポイントを有するネットワークでは、各アクセスポイントが少なくともある程度までそれ自体を構成する機能を有する場合、それはネットワークの全動作にとってより効率的となる。このようにして、ネットワーク（たとえば、オペレータによって管理される集中型エンティティ）のオペレータは、これらのアクセスポイントのすべてについて適切な構成を判断し、構成を追跡するという負担の少なくとも一部を軽減されることがある。
【００２１】
図１の例では、アクセスポイント１０４は、アクセスポイント１０４を構成する構成コントローラ１１０を含む。ここで、構成コントローラ１１０は、アクセスポイント１０４が使用する１つまたは複数の構成パラメータを、通信関連動作に与えることができる。たとえば、構成コントローラ１１０は、パイロット識別子、動作周波数および送信電力などの構成パラメータをワイヤレストランシーバ１１２に与えることができる。
【００２２】
いくつかの実装形態では、構成コントローラ１１０は、少なくとも１つの他のアクセスポイント（たとえば、隣接するアクセスポイント）の（１つまたは複数の）構成に基づいて構成パラメータを定義する。この目的で、構成コントローラ１１０は、他の（１つまたは複数の）アクセスポイントから構成情報を受信し、および／または他の（１つまたは複数の）アクセスポイントから構成情報を取得するために使用できる情報を受信することができる。
【００２３】
場合によっては、アクセスポイント１０４は、アクセスポイント１０６の構成を判断するために、アクセスポイント１０６と通信することができる。たとえば、アクセスポイント１０４は、バックホールを介して、（たとえば、ネットワークノード１０８によって）アクセスポイント１０６と通信することができる。より具体的な例として、ｅＮｏｄｅＢは、隣接するｅＮｏｄｅＢによって使用されるＰＣＩについての報告を（たとえば、Ｘ２インターフェースを介して）受信することができる。
【００２４】
また、アクセスポイント１０４は、ワイヤレス信号を介してアクセスポイント１０６から構成関連情報を直接獲得することができる。たとえば、アクセスポイント１０４は、アクセスポイント１０６によって送信された信号を受信するダウンリンク受信機（図１には図示せず）を含むことができる。より具体的な例として、ｅＮｏｄｅＢによって使用されるＰＣＩを、ダウンリンク受信機を使用して、別のｅＮｏｄｅＢにおいて無線で聴取することができる。
【００２５】
アクセスポイント１０４はまた、（たとえば、アクセス端末１０２がアクセスポイント１０４によってサービスされているとき）アクセス端末を介して構成関連情報を獲得することができる。たとえば、アクセス端末１０２は、アクセスポイント１０６から獲得した情報（たとえば、アクセスポイント１０６による送信から導出された情報）をアクセスポイント１０４に転送することができる。より具体的な例として、ユーザ機器は、ｅＮｏｄｅＢによって使用されたＰＣＩを別のｅＮｏｄｅＢに報告することができる。
【００２６】
場合によっては、アクセスポイント１０４は、ネットワークノード１０８から構成関連情報を受信することができる。たとえば、ネットワークノード１０８は、アクセスポイント１０４の任意のネイバーを識別し、このネイバー情報をアクセスポイント１０４に送信することができる。次いで、構成コントローラ１１０は、このネイバー情報を使用して、指示された（１つまたは複数の）ネイバーの構成を判断する。
【００２７】
場合によっては、ネットワークノード１０８は、パイロット識別子のリストをアクセスポイント１０４に送信する。次いで、アクセスポイント１０４は、リストからそのパイロット識別子を選択することができる。たとえば、アクセスポイント１０４は、リストからパイロット識別子をランダムに選択するか、またはパイロット識別子を定義された（１つまたは複数の）基準に基づいて選択することができる。ここで、アクセスポイント１０４は、他のアクセスポイント（たとえば、隣接するアクセスポイント）によって使用された任意のパイロット識別子をその選択から除外することができる。
【００２８】
より具体的な例として、ＯＡＭエンティティは、ＰＣＩ値のリストをｅＮｏｄｅＢにシグナリングすることができる。このリストはセル固有とすることができる。次いで、ｅＮｏｄｅＢは、ＰＣＩのリストからセルのＰＣＩ値を選択することができる。たとえば、ｅＮｏｄｅＢは、ＰＣＩのリストからＰＣＩ値をランダムに選択することができる。
【００２９】
場合によっては、ｅＮｏｄｅＢは、ユーザ機器によって報告され、隣接するｅＮｏｄｅＢによって報告され、ダウンリンクを介して無線で聴取され、何らかの他の方法で獲得され、またはこれらの方法の２つ以上の組合せによって獲得されたＰＣＩを削除することによって、受信したリストを制限することができる。次いで、ｅＮｏｄｅＢは、ＰＣＩの制限されたリストからＰＣＩ値をランダムに選択するか、または制限されたリストからＰＣＩ値を何らかの他の方法で選択することができる。
【００３０】
場合によっては、アクセスポイント１０４は、（たとえば、ネットワークノード１０８で表される）構成サーバが構成情報をアクセスポイント１０４に与えるのを支援するために、情報を構成サーバに与えることができる。たとえば、アクセスポイント１０４は、そのロケーションを判断し、対応するロケーション情報をネットワークノード１０８に送信することができる。次いで、ネットワークノード１０８は、ロケーションに基づいて適切な構成情報を判断し、この構成情報をアクセスポイント１０４に送信することができ、構成コントローラ１１０は、構成情報を使用してアクセスポイント１０４を構成する。
【００３１】
場合によっては、（たとえば、ネットワークノード１０８で表される）構成サーバは、構成情報のためにアクセスポイントを別の構成サーバにダイレクトする。たとえば、アクセスポイント１０４から構成情報の要求を受信すると、ネットワークノード１０２は、アクセスポイント１０４を別のノード（たとえば、別の構成サーバ）にリダイレクトすることができる。そのようなリダイレクションは、たとえば、アクセスポイント１０４のロケーションおよび／または構成サーバのうちの１つまたは複数の上の負荷に基づくことができる。
【００３２】
上記の動作などの構成動作は、有利には、あるアクセスポイントがマクロカバレージを与え、他のアクセスポイントがより小さいカバレージを与える、図２に示すネットワーク２００中で採用できる。ここで、マクロカバレージエリア２０４は、たとえば、一般にマクロセルネットワークまたはワイドエリアネットワーク（「ＷＡＮ」）と呼ばれる、３Ｇネットワークなどの広域セルラーネットワークのマクロアクセスポイントによって提供できる。さらに、より小さいカバレージエリア２０６は、たとえば、一般にローカルエリアネットワーク（「ＬＡＮ」）と呼ばれる、住居ベースまたは建築物ベースのネットワーク環境のアクセスポイントによって提供できる。アクセス端末（「ＡＴ」）がそのようなネットワーク中を移動するとき、アクセス端末は、あるロケーションでは、マクロカバレージを与えるアクセスポイントによってサービスされ、他のロケーションでは、より小さいカバレージを与えるアクセスポイントによってサービスされることがある。いくつかの態様では、より小さいカバレージアクセスポイントを使用して、漸増キャパシティの増大と、屋内カバレージと、様々なサービスとを提供することができ、すべては、よりロバストなユーザ経験をもたらす。
【００３３】
本明細書の説明では、相対的に広いエリアにわたるカバレージを与えるノード（たとえば、アクセスポイント）をマクロノードと呼び、比較的小さいエリア（たとえば、住居）にわたるカバレージを与えるノードをフェムトノードと呼ぶことがある。本明細書の教示は、他のタイプのカバレージエリアに関連付けられたノードに適用できる場合があることを諒解されたい。たとえば、ピコノードは、マクロエリアよりも小さく、フェムトエリアよりも大きいエリアにわたるカバレージ（たとえば、商業建築物内のカバレージ）を与えることができる。また、リレーノードは、アクセスポイントがネットワーク中の他のノードと通信することを可能にするワイヤレスカバレージを与えることができる。言い換えれば、リレーノードは、たとえば、ネットワークノードまたは別のリレーノードへの接続性を可能にするワイヤレスバックホールを与えることができる。様々な適用例では、マクロノード、フェムトノードまたは他のアクセスポイントタイプのノードを指すために他の用語を使用することがある。たとえば、マクロノードを、アクセスノード、基地局、アクセスポイント、ｅＮｏｄｅＢ（「ｅＮＢ」）、マクロセルなどとして構成する、または呼ぶことができる。また、フェムトノードを、Ｈｏｍｅ ＮｏｄｅＢ、Ｈｏｍｅ ｅＮｏｄｅＢ、アクセスポイント、基地局、アクセスポイント基地局、ｅＮｏｄｅＢ、フェムトセルなどとして構成する、または呼ぶことがある。いくつかの実装形態では、ノードを１つまたは複数のセルまたはセクタに関連付ける（たとえば、分割する）ことができる。マクロノード、フェムトノード、またはピコノードに関連付けられたセルまたはセクタは、それぞれ、マクロセル、フェムトセル、またはピコセルと呼ぶことがある。便宜上、本明細書での説明は、一般にアクセスポイントおよびフェムトノードの動作および構成要素を指す。これらの動作および構成要素はまた、他のタイプのノード（たとえば、リレーノードおよびピコノード）に適用可能であることを諒解されたい。
【００３４】
図２の例では、いくつかのトラッキングエリア２０２（またはルーティングエリアまたはロケーションエリア）が画定され、そのエリアの各々はいくつかのマクロカバレージエリア２０４を含む。ここで、トラッキングエリア２０２Ａ、２０２Ｂおよび２０２Ｃに関連付けられたカバレージのエリアは太線によって示され、マクロカバレージエリア２０４は六角形によって表される。上述のように、トラッキングエリア２０２はフェムトカバレージエリア２０６をも含むことができる。この例では、フェムトカバレージエリア２０６の各々（たとえば、フェムトカバレージエリア２０６Ｃ）は、１つまたは複数のマクロカバレージエリア２０４（たとえば、マクロカバレージエリア２０４Ｂ）内に示される。ただし、フェムトカバレージエリア２０６は、完全にマクロカバレージエリア２０４内にあるわけではないことを諒解されたい。また、１つまたは複数のピコカバレージエリアまたはフェムトカバレージエリア（図示せず）を所与のトラッキングエリア２０２またはマクロカバレージエリア２０４内に画定することができる。
【００３５】
マクロカバレージエリア２０４Ａ中の小さいセルによって示されるように、フェムトノードなどの多数のアクセスポイントをネットワーク中で展開することができる。そのような場合、有利には、本明細書の教示を採用してこれらのアクセスポイントを構成することができる。上記の概観を念頭において、本明細書の教示による、アクセスポイントを構成するために採用される様々な技法について、図３〜図１１を参照しながら説明する。図３〜図６は、ある態様では、アクセスポイントによって使用されるパイロット識別子を判断するために採用される動作および構成要素に関する。図７〜図９は、ある態様では、少なくとも１つの他のノードの構成に基づいてアクセスポイントを構成するために採用される動作および構成要素に関する。図１０は、ある態様では、構成情報をアクセスポイントに与えるために採用される動作に関する。図１１は、ある態様では、アクセスポイントを構成サーバにダイレクトするために採用される動作に関する。
【００３６】
説明のために、図３、図５〜図７および図９〜図１１の動作（あるいは、本明細書で論じるまたは教示する他の動作）については、特定の構成要素（たとえば、システム１００の構成要素、図４に示す構成要素、または図８に示す構成要素）によって実行されるものとして説明することがある。ただし、これらの動作は、他のタイプの構成要素によって実行でき、異なる個数の構成要素を使用して実行できることを諒解されたい。また、本明細書で説明する動作の１つまたは複数は、所与の実装形態では採用されない場合があることを諒解されたい。
【００３７】
図４および図８は、本明細書で教示する構成動作を実行するために、アクセスポイント、ネットワークノード、およびアクセス端末などのノードに組み込まれるいくつかの例示的な構成要素を示す。記載の構成要素は、通信システム中の他のノードに組み込むこともできる。たとえば、システム中の他のノード（たとえば、他のアクセスポイント）には、同様の機能を提供するアクセスポイント４０２および／またはアクセスポイント８０２に関して説明する構成要素と同様の構成要素がある。
【００３８】
図４に示すように、アクセスポイント４０２およびネットワークノード４０４（たとえば、構成サーバ）はそれぞれ、他のノードと通信するためのトランシーバ４０６および４０８を含むことができる。トランシーバ４０６は、信号（たとえば、メッセージ）を送信するための送信機４１０と、（たとえば、構成関連情報を含む）信号を受信するための受信機４１２とを含む。トランシーバ４０８は、信号を送信するための送信機４１４と、信号を受信するための受信機４１６とを含む。同様に、図８に示すアクセスポイント８０２およびネットワークノード８０４（たとえば、構成サーバ）はそれぞれ、（送信機８０８と受信機８１０とを含む）トランシーバ８０６と、（送信機８１４と受信機８１６とを含む）トランシーバ８１２とを含むことができる。また、図８に示すアクセス端末８１８は、（送信機８２２と受信機８２４とを含む）トランシーバ８２０を含むことができる。
【００３９】
図４および図８のノードは、本明細書で教示する構成動作と連携して使用できる他の構成要素をも含む。たとえば、図８に示すように、アクセスポイント８０２、ネットワークノード８０４およびアクセス端末８１８はそれぞれ、他のノードとの通信（たとえば、メッセージ／指示の送信および受信）を管理するための、および本明細書で教示する他の関連する機能を行うための通信コントローラ８２６、８２８および８３０を含むことができる。また、図８に示すように、アクセスポイント８０２とネットワークノード８０４とアクセス端末８１８とのうちの１つまたは複数はそれぞれ、構成関連動作を実行するための、および本明細書で教示する他の関連する機能を行うための（たとえば、統合基準点エージェントＩＲＰＡｇｅｎｔを備える）構成コントローラ８３２、（たとえば、統合基準点マネージャＩＲＰＭａｎａｇｅｒを備える）８３４および８３６を含むことができる。図４および図８の他の構成要素の例示的な動作について、以下で説明する。
【００４０】
便宜上、図４および図８のノードを、図３〜図１１に関連して以下で説明する様々な例で使用される構成要素を含むものとして示す。実際問題として、図示の構成要素のうちの１つまたは複数は、所与の例で使用されないこともある。一例として、いくつかの実装形態では、アクセス端末８１８は、競合検出器８３８および／または構成コントローラ８３６を含まないこともある。別の例として、いくつかの実装形態では、ネットワークノード８０４は、構成コントローラ８３４、ネイバー判断器８４０、または構成サーバ選択器８４２のうちの１つまたは複数を含まないこともある。さらに別の例として、いくつかの実装形態では、アクセスポイント８０２は、ロケーション判断器８４４を含まないこともある。
【００４１】
また、所与のノードは、記載の構成要素のうちの１つまたは複数を含むことができる。たとえば、ノードは、ノードが複数の周波数上で同時に動作することを可能にし、および／または異なるタイプの技術（たとえば、有線および／またはワイヤレス技術）を介して通信することを可能にする複数のトランシーバ構成要素を含むことができる。
【００４２】
次に、図３および図４を参照すると、本明細書の教示を採用して、少なくとも１つの他のアクセスポイントによって使用される（１つまたは複数の）パイロット識別子に基づいて、パイロット識別子でアクセスポイントを構成することができる。そのような方式を使用して、ネットワーク中のアクセスポイントは、分散的な方法でパイロット識別子を選択する（たとえば、自律的に選択する）ことができる。このようにして、（たとえば、ノードが、複数のアクセスポイントが同じパイロット識別子をブロードキャストしているのを聴取するとき）ネットワーク中のパイロット識別子衝突の可能性を低減するか、またはなくすことができる。その上、ネットワーク中のアクセスポイントのすべてによって使用されるパイロット識別子のすべてを割り当てて、追跡する集中型マネージャを使用することなく、これを達成することができる。
【００４３】
パイロット識別子は、様々な形態をとることができ、異なる実装形態では異なる用語を使用して呼ばれる。たとえば、パイロット識別子を、セル識別子（「セルＩＤ」）、物理セル識別子（「ＰＣＩ」）またはプライマリスクランブル系列（「ＰＳＣ」）と呼ぶことがある。また、パイロット識別子を、パイロット信号中に存在する擬似ランダム雑音系列（「ＰＮ系列」）に関連付けることができる。
【００４４】
図３のブロック３０２で表されるように、いくつかの実装形態では、構成サーバ（たとえば、図４のネットワークノード４０４）は、所与のアクセスポイント（たとえば、アクセスポイント４０２）によって使用できるパイロット識別子のリストを判断し、リストをアクセスポイントに送信する。図４の例では、これらの動作は、構成コントローラ４１８によって実行できる。
【００４５】
ここで、パイロット識別子のリストは、所与のネットワークについて定義されたすべてのパイロット識別子（たとえば、５１２個のパイロット識別子）のセットのうちのサブセット（たとえば、１０個のパイロット識別子）を備えることができる。いくつかの実装形態では、リストは様々なパイロット識別子を備える。
【００４６】
パイロット識別子のリストは、構成可能なオペレータとすることができる。場合によっては、所与のリストは、（たとえば、ネットワーク中の複数のアクセスポイントが同じリストを割り当てられる）オペレータのネットワーク全体にわたって適用可能である。場合によっては、一意のリストを異なるアクセスポイントについて定義することができる。たとえば、ネットワーク中の各アクセスポイントにそれ自体のリストを割り当てることができる（ただし、これらのリストのすべてが一意であるわけではない）。
【００４７】
いくつかの実装形態では、オペレータは、パイロット識別子空間を異なるサブセットに分割することができる。パイロット識別子空間は様々な基準に基づいて分割できる。
【００４８】
いくつかの実装形態では、パイロット識別子空間は、異なるタイプのアクセスポイント用に異なるサブセットに分割される。たとえば、パイロット識別子の第１のサブセット（たとえば、パイロット識別子０〜４９）をマクロアクセスポイントに割り当て、パイロット識別子の第２のサブセット（たとえば、パイロット識別子５０〜４９９）をフェムトノードに割り当て、パイロット識別子の第３のサブセット（たとえば、パイロット識別子５００〜５１１）をモバイルアクセスポイントに割り当てることができる。
【００４９】
いくつかの実装形態では、パイロット識別子空間は、アクセスポイントの送信電力に基づいて異なるサブセットに分割される。たとえば、より高い電力アクセスポイント（たとえば、マクロアクセスポイント）にパイロット識別子の第１のサブセットを割り当て、より低い電力アクセスポイント（たとえば、フェムトノード、ピコノードまたはリレーノード）にパイロット識別子の第２のサブセットを割り当てることができる。
【００５０】
いくつかの実装形態では、パイロット識別子空間は、ロケーションに基づいて異なるサブセットに分割できる。たとえば、異なるパイロット識別子サブセットは、異なる地理的領域について定義できる。したがって、所与のアクセスポイントに割り当てられるパイロット識別子のサブセットは、アクセスポイントのロケーションに依存することがある。
【００５１】
上記に鑑みて、いくつかの実装形態では、ブロック３０２における構成サーバの動作は、構成サーバがアクセスポイント４０２から受信する情報に基づくことができる。たとえば、ある時点で（たとえば、アクセスポイント４０２がインターネット接続を確立すると）、アクセスポイント４０２は、そのネットワーク接続性を使用して、ネットワークノード４０４と交信し、この情報を送信する。
【００５２】
アクセスポイント４０２（たとえば、ロケーション判断器４２０）は、アクセスポイント４０２のロケーションを示す情報を判断し、この情報をネットワークノード４０４に送信することができる。そのような情報は様々な形態をとることができる。たとえば、アクセスポイントのロケーションを示す情報は、アクセスポイントが位置する市、アクセスポイントが位置する州、アクセスポイントが位置する国、アクセスポイントにサービスするマクロアクセスポイント、アクセスポイントが関連付けられたゾーン、アクセスポイントが通信しているセル、セルが関連付けられたネットワーク識別情報またはオペレータ、ＧＰＳ座標、地理的ロケーション、または所在地住所のうちの少なくとも１つを示すことができる。
【００５３】
さらに、または、代替として、アクセスポイント４０２は、アクセスポイント４０２のタイプを示す情報をネットワークノード４０４に送信することができる。上述のように、この情報は様々な形態をとることができる。たとえば、このタイプ情報は、アクセスポイント４０２のデバイス種別（たとえば、フェムト、マクロ、モバイルなど）、アクセスポイント４０２の電力種別（たとえば、高電力、低電力など）、アクセスポイントが（たとえば、本明細書で教示するように）制限されるかどうか、アクセスポイントが固定であるかまたは移動であるか、あるいはアクセスポイント４０２に関連付けられた（１つまたは複数の）何らかの他の特性のうちの１つまたは複数を示すことができる。
【００５４】
次いで、ネットワークノード４０４（たとえば、構成コントローラ４１８）は、それがアクセスポイント４０２から受信する情報に基づいて、アクセスポイント４０２が使用するパイロット識別子のリストを判断することができる。いくつかの態様では、ネットワークノード４０４は、オペレータによって事前に供給されたパイロット識別子の範囲を使用して、示されたノードタイプが使用するための、および／または示されたロケーションにおいて使用するためのパイロット識別子の有効な範囲を選択することができる。
【００５５】
上述のように、ブロック３０２の動作のいくつかまたはすべては、いくつかの実装形態では利用されない。たとえば、場合によっては、パイロット識別子リスト（たとえば、範囲）は標準化される。そのような場合、ネットワークノード４０４は、標準パイロット識別子リストをアクセスポイント４０２に送信するだけである。代替的に、アクセスポイント４０２は、パイロット識別子リストを用いて構成でき、それにより、アクセスポイント４０２は、ネットワークノード４０４からこの情報を受信しない。
【００５６】
図３のブロック３０４で表されるように、アクセスポイント４０２（たとえば、パイロット識別子判断器４２２）は、少なくとも１つの他のアクセスポイントによって使用される少なくとも１つのパイロット識別子を判断する。たとえば、アクセスポイント４０２は、どのパイロット識別子がそのネイバーによって使用されているかを判断することができる。
【００５７】
いくつかの実装形態では、アクセスポイント４０２（たとえば、ネイバー発見コントローラ４２４）は、そのネイバーを識別するために、ネイバー発見を行うことができる。以下でより詳細に論じるように、アクセスポイント４０２は、１ホップネイバーまたは（たとえば、２ホップ、３ホップなど）マルチホップネイバーを発見することができる。後者の場合、アクセスポイント４０２は、より遠いネイバーからパイロット識別子情報を取得するために２ホップまたは３ホップ以上をクロールすることを選択することができる。
【００５８】
いくつかの実装形態では、アクセスポイント４０２は、ネイバー発見を介してそのネイバーから構成情報を獲得する。たとえば、ネイバー発見コントローラ４２４によって発行されたネイバー発見要求の結果として、アクセスポイント４０２は、ネイバーアクセスポイント（たとえば、１ホップまたはマルチホップネイバー）から、そのネイバーアクセスポイントによって使用されるパイロット識別子を含むネイバー発見応答を受信することができる。そのようなネイバー発見動作は、たとえば、バックホールを介して実行できる。
【００５９】
いくつかの実装形態では、アクセスポイント４０２は、サーバ（たとえば、ネットワークノード４０４）から、そのネイバーのパイロット識別子情報を獲得することができる。たとえば、ネットワークノード４０４（たとえば、ネイバー判断器４２６）は、それ自体でこの情報を維持するか、または要求時にこの情報を取得することができる。次いで、ネットワークノード４０４は、アクセスポイント４０２からの要求に応答してパイロット識別子情報をアクセスポイント４０２に送信することができる。いくつかの態様では、ネットワークノード４０４は、パイロット識別子情報を、アクセスポイント４０２のロケーションに基づいて与えられるものとして識別することができる。たとえば、その要求中に、アクセスポイント４０２は、そのロケーションを示す情報を含むことができる。次いで、ネットワークノード４０４は、その近傍のアクセスポイントを識別し、それらがどのパイロット識別子を使用するかを判断することができる。さらに、ネットワークノード４０４は、これらのアクセスポイントによって送信されたパイロット信号が、アクセスポイント４０２からもパイロット信号を受信するノードによって受信できるかどうかを判断するとき、これらのアクセスポイントの送信電力を考慮に入れることができる。このようにして、パイロット識別子衝突を潜在的に生じることがあるそれらのパイロット識別子のみを、アクセスポイント４０２に送信することができる。
【００６０】
いくつかの実装形態では、アクセスポイント４０２は、最初にそのネイバーのリストを獲得し、次いで、リストによって識別されたアクセスポイント上でネイバー発見を行うことができる。たとえば、ネットワークノード４０４（たとえば、ネイバー判断器４２６）は、（たとえば、アクセスポイント４０２によってネットワークノード４０４に与えられる）アクセスポイント４０２のロケーションに基づいて、そのようなリストをアクセスポイント４０２に送信することができる。また、アクセスポイント４０２に関連付けられた（たとえば、アクセスポイント４０２によってサービスされる）アクセス端末は、そのアクセス端末が現在どのアクセスポイントを聴取する（すなわち、どのアクセスポイントから信号を受信する）か、または前に聴取したかを示す報告をアクセスポイント４０２に送信することができる。
【００６１】
いくつかの実装形態では、アクセスポイント４０２は、正式なネイバー発見を行うことなく、そのネイバーによって使用されるパイロット識別子を判断することができる。たとえば、アクセスポイント４０２は、隣接するアクセスポイントからパイロット信号を検出するように構成された（たとえば、受信機４１２で表される）ダウンリンク受信機を含むことができる。すなわち、アクセスポイント４０２は構成情報を無線で受信することができる。この場合、アクセスポイント４０２は、検出された信号に基づいて（たとえば、受信したパイロット信号から導出されたＰＮ系列に基づいて）これらの隣接するアクセスポイントによって使用されるパイロット識別子を判断し、（たとえば、他のダウンリンクメッセージ中の情報を分析することによって）ネイバーの識別情報を随意に判断することができる。
【００６２】
いくつかの実装形態では、アクセスポイント４０２は、アクセス端末（たとえば、図１のアクセス端末１０２）からパイロット識別子または他のネイバー情報を受信することができる。たとえば、アクセスポイント４０２に関連付けられたアクセス端末は、アクセス端末が受信しているパイロット信号を示す報告をアクセスポイント４０２に送信することができる。ここで、アクセス端末は、アクセス端末が受信する信号から情報（たとえば、パイロット識別子、ＰＮ系列、または他のアクセスポイント識別情報）を導出し、この情報をアクセスポイント４０２に転送することができる。
【００６３】
図３のブロック３０６で表されるように、アクセスポイント４０２（たとえば、パイロット識別子選択器４２８）は、ブロック３０４によって判断されたパイロット識別子に基づいて、および適用可能な場合、指定されたパイロット識別子リストに基づいてアクセスポイント４０２によって使用されるパイロット識別子を選択する。たとえば、アクセスポイント４０２は、指定されたリストから、隣接するアクセスポイントによって使用される任意のパイロット識別子と競合しない（たとえば、同じではない）パイロット識別子を選択することができる。
【００６４】
アクセスポイント４０２は、その直接のネイバー（たとえば、１ホップネイバー）、および随意に、マルチホップネイバーのパイロット識別子との競合を回避しようと試みることができる。マルチホップネイバー発見について、図５および図６に関連して以下でより詳細に論じる。
【００６５】
アクセスポイント４０２は、そのネイバーのパイロット識別子をいくつかのグループで編成し、パイロット識別子選択プロセスでこれらのグループを使用することができる。そのようなグループを様々な方法で編成することができる。たとえば、第１のグループは、アクセスポイント４０２によって聴取されるパイロット識別子、および／またはアクセスポイント４０２に関連付けられたアクセス端末によって報告されるパイロット識別子を含むことができる。第２のグループは、ネイバー発見中に識別される第２のホップネイバーを含むが、隣接するフェムトノード（たとえば、低電力アクセスポイント）によって与えられたネイバーリストによって識別されたもののみを含むことができる。第３のグループは、ネイバー発見中に識別される第２のホップネイバーを含むが、隣接するマクロアクセスポイント（たとえば、高電力アクセスポイント）によって与えられたネイバーリストによって識別されたもののみを含むことができる。ここで、隣接するマクロアクセスポイントが多数のフェムトノードネイバーを報告することがあり、そのフェムトノードネイバーの大部分はアクセスポイント４０２から比較的遠く離れて位置し、したがって、アクセスポイント４０２によって使用されるパイロット識別子との競合を生じる可能性がより低いので、グループ２とグループ３との間で差別化を採用することができる。
【００６６】
上記の例を続けると、指定されたリスト中のパイロット識別子のうちの１つが、アクセスポイント４０２のネイバーのいずれにも（たとえば、グループ１、２および３の識別子のいずれにも）使用されていない場合、アクセスポイント４０２は、単にこのパイロット識別子を選択することができる。反対に、指定されたセット中のパイロット識別子のすべてがネイバーのうちの少なくとも１つによって使用されている場合、アクセスポイント４０２は、指定されたセットのパイロット識別子のいずれかがグループ３からのアクセスポイントのみと衝突する（すなわち、グループ１またはグループ２との競合がない）かどうかを判断することができる。そうであれば、アクセスポイント４０２は、競合のリスクを最小限に抑えようとしてこれらのパイロット識別子の１つを選択することができる。指定されたリストのパイロット識別子のすべてが、グループ１またはグループ２のいずれかと競合する場合、アクセスポイント４０２は、グループ２とのみ競合するパイロット識別子を（そのようなパイロット識別子が存在する場合）選択することができる。いくつかの実装形態では、アクセスポイント４０２は、グループ１からパイロット識別子を選択することができない。その中から選択すべきパイロット識別子が複数ある場合、アクセスポイント４０２は、ランダムに、または何らかの他の指定された方法でパイロット識別子のうちの１つを選択することができる。
【００６７】
ブロック３０８で表されるように、次いで、アクセスポイント４０２は、ワイヤレス通信用に選択されたパイロット識別子を使用するように構成される。たとえば、送信機４１０は、選択されたパイロット識別子を使用して、送信機４１０がブロードキャストするパイロット信号を生成することができる。
【００６８】
ブロック３１０で表されるように、アクセスポイント４０２は、（たとえば、ブロック３０４の動作を使用して）そのネイバーによって使用されるパイロット識別子を監視し続けることができるので、アクセスポイントは、それが使用しているパイロット識別子がネイバーによって使用されるパイロット識別子と衝突しないように保証し続けることができる。たとえば、そのような競合が、アクセスポイント４０２の近傍に最近設置された新しいアクセスポイントによって、または、アクセスポイント４０２の近傍に入ったモバイルアクセスポイントによって生じることがある。また、互いの聴取している範囲内にない２つのアクセスポイントが同じパイロット識別子を選択した場合、パイロット識別子競合（たとえば、衝突）が発生することがある。そのような競合は、たとえば、アクセスポイントの両方から信号を受信するアクセス端末によって最終的に検出できる。そのような場合、アクセスポイントの一方または両方は、それらのパイロット識別子を変更するように構成できる。図７に関連して以下で説明するように、競合を検出したアクセス端末は、関係するアクセスポイントの１つまたはすべてに通知することができる。たとえば、アクセス端末は、この情報を渡すために、これらのアクセスポイントのうちの１つに接続するか、またはアクセス端末が有する別のアクセスポイントへの接続を使用して、この情報を関係するアクセスポイントに送信することができる。
【００６９】
競合が識別された場合、アクセスポイント４０２は、隣接するいかなるアクセスポイントによって使用されるいかなるパイロット識別子とも競合しない新しいパイロット識別子を選択するために、上述した動作と同様の動作を実行することができる。したがって、これらの技法を使用して、アクセスポイント４０２は、パイロット識別子競合（たとえば、パイロット識別子衝突）から単独で回復することができる。たとえば、競合通知を受信するか、または競合を識別すると、アクセスポイント４０２は、その現在のパイロット識別子を禁止されたものとして指摘された識別子のグループ（たとえば、上述のグループ１）に移動し、上述した動作を反復することができる。
【００７０】
場合によっては、そのパイロット識別子を変更するとき、アクセスポイント４０２は、現在保持するすべての接続を中断し、関連するアクセス端末を再接続させることができる。最適化として、アクセスポイント４０２は、新しいパイロット識別子をアクセス端末に通知する時刻より前に、およびアクセスポイント４０２が新しいパイロット識別子を使用して切り替わる時刻より前に、メッセージを送信することができる。このようにして、新しいパイロット識別子への切替えは、サービスの分断を最小にすることで達成できる。
【００７１】
次に、図５および図６を参照すると、アクセスポイントは、アクセスポイント開始ネイバー発見、および／またはアクセス端末支援ネイバー発見を使用してそのネイバーを発見することができる。図５はアクセスポイント開始ネイバー発見の例を表す。図６はアクセス端末支援ネイバー発見の例を表す。
【００７２】
図５では、アクセスポイントＡは、隣接するアクセスポイントＢの存在について学習すると、ネイバー発見を開始することができる。たとえば、上述のように、アクセスポイントＡは、（たとえば、ダウンリンク受信機を使用して）そのＲＦネイバーのブロードキャスト情報を聴取するか、または何らかの他の方法でそのネイバーに関する情報を取得することができる。したがって、図５のブロック５０２で表されるように、アクセスポイントＡは、そのネイバーのうちの１つの識別子（たとえば、アドレス）を学習することができる。
【００７３】
アクセスポイントＡは、（たとえば、ネイバー発見コントローラ構成要素の動作によって）バックホールを介してそのネイバーに直接接続し、ネイバー発見メッセージの交換を実行することができる。たとえば、アクセスポイントＡは、ネイバー発見要求（「ＮＤ要求」）をアクセスポイントＢに送信する。それに応答して、アクセスポイントＢは、（たとえば、ネイバー発見コントローラ構成要素の動作によって）ネイバー発見報告（「ＮＤ報告」）をアクセスポイントＡに送信する。同様に、アクセスポイントＢは、ネイバー発見要求をアクセスポイントＡに送信して、それに応答してネイバー発見報告を受信する。
【００７４】
有利には、アクセスポイントＢからの報告は、そのネイバー（たとえば、アクセスポイントＣ）に関する情報を含むことができる。たとえば、アクセスポイントＣに関する情報は、別のノードがアクセスポイントＣにアクセスすることを可能にするのに十分な情報（たとえば、識別子、アドレスなど）を備えることができる。ここで、アクセスポイントＣは、アクセスポイントＡへの第２のホップ（またはより高いホップ）ネイバーとすることができる（たとえば、アクセスポイントＡは、アクセスポイントＣを聴取することができない）ことを諒解されたい。いくつかの実装形態では、アクセスポイントＢは、そのネイバーに関する情報をその報告中に自動的に含むことができる。代替的に、アクセスポイントＡは、アクセスポイントＢがこの情報を報告中に含むことを特に要求することができる。
【００７５】
したがって、アクセスポイントＡは、第１のホップネイバー（たとえば、アクセスポイントＢ）から受信したマルチホップネイバーに関する情報を使用してマルチホップネイバーと通信することができる。たとえば、図５に示すように、アクセスポイントＡは、ネイバー発見要求をアクセスポイントＣに送信して、それに応答してネイバー発見報告を受信する。同様に、アクセスポイントＣは、ネイバー発見報告をアクセスポイントＡに送信して、それに応答してネイバー発見報告を受信する。同様の方法で上述のように、アクセスポイントＣからのネイバー発見報告は、アクセスポイントＣのネイバー（図５には図示せず）に関する情報を含むことができる。このようにして、アクセスポイントＡは、その第３のホップネイバーに関する情報を取得することができる。
【００７６】
図６では、アクセスポイントＡは、アクセス端末支援ネイバー発見を介してそのネイバーに関する情報を学習する。ここで、アクセス端末は、アクセス端末が受信しているパイロットのすべて（たとえば、パイロットＩＤ２および他のパイロットＩＤ）を示すパイロット報告を、そのサービングアクセスポイント（アクセスポイントＡ）に送信する。パイロット報告中のパイロットＩＤがアクセスポイントＡにとって新しい場合、アクセスポイントＡはアクセス端末を使用して、新しいアクセスポイントのアドレス（たとえば、ＩＰアドレス）を解決することができる。たとえば、アクセスポイントＡは、セクタＩＤ要求、または（たとえば、新しいアクセスポイントのパイロットＩＤを含む）他の好適な要求をアクセス端末に送信することができる。次いで、アクセス端末は、対応するセクタＩＤを含むセクタ応答をアクセスポイントＡに送信する（または、アクセス端末が何らかの他の好適な応答をアクセスポイントＡに送信する）ことができる。
【００７７】
次いで、アクセスポイントＡは、新しいアクセスポイント（たとえば、アクセスポイントＢ）とのネイバー発見交換を実行することができる。上述のように、図５に関連して、アクセスポイントＡは、アクセスポイントＢから第２のホップネイバー（たとえば、アクセスポイントＣ）に関する情報を受信し、次いで、（１つまたは複数の）第２のホップネイバーとのネイバー発見交換を行うことができる。
【００７８】
次に図７〜図９を参照すると、本明細書の教示は、概してアクセスポイントの構成に適用可能である。たとえば、上述した技法、ならびに本明細書で説明する他の技法を使用して、アクセスポイントのための様々な構成パラメータを判断することができる。そのような構成パラメータの例には、限定はしないが、周波数帯域、搬送周波数、パイロット識別子、最大送信電力、および送信電力プロファイルがある。
【００７９】
図７のブロック７０２で表されるように、アクセスポイント８０２（たとえば、ネイバー発見コントローラ８４６）は、そのネイバーの識別情報を随意に判断することができる。たとえば、上述した同様の方法で、アクセスポイント８０２は、構成サーバ（たとえば、ネットワークノード８０４）からそのネイバーのリストを受信することができる。ここで、オペレータは、ネットワーク中のアクセスポイントの構成を支援するために、そのネットワーク内に１つまたは複数の集中型構成サーバを設けることができる。アクセスポイント８０２は、初期化すると、構成プロセスを開始することができる。
【００８０】
いくつかの態様では、アクセスポイント８０２の初期化は、アクセスポイント８０２がオペレータのネットワークとの接続性を獲得することを伴う。ここで、オペレータのネットワークにアクセスすることが可能になる前に、アクセスポイント８０２を認証する必要がある。
【００８１】
さらに、アクセスポイント８０２は構成サーバを配置することができる。たとえば、アクセスポイント８０２は、構成サーバのよく知られているアドレス（たとえば、ＩＰアドレス）を用いて事前構成できる。代替的に、アクセスポイント８０２は、接続されるネットワークのオペレータ（たとえば、operator.com）を認識することができるので、アクセスポイント８０２は、ＦＱＤＮ「config_server.operator.com」を求めてＤＮＳクエリを行い、代わりにＩＰアドレスを受信することができる。他の実装形態では、アクセスポイント８０２は、何らかの他の技法を使用して、適切なアドレス情報を取得することができる。次いで、アクセスポイント８０２は構成サーバとの通信を確立することができる。たとえば、標準化されたＳＮＭＰ、あるいはＮｅｔＣｏｎｆ、ＯＭＡ ＤＭ、ＣＷＭＰ（ＴＲ ０６９）またはＤＯＣＳＩＳなどの他の構成プロトコルを使用して、あるいはＳＳＨを介したプロプライエタリＣＬＩを使用して通信を確立することができる。
【００８２】
上述のように、構成サーバは、アクセスポイントから受信するロケーション情報に基づいて、ネイバーリストをアクセスポイントに与えることができる。これらの動作について、図９のフローチャートならびに図８のノード８０２および８０４を参照しながらより詳細に説明する。
【００８３】
図９のブロック９０２で表されるように、アクセスポイント８０２の初期化の後、ロケーション判断器８４４は、アクセスポイント８０２のロケーションを判断することができる。ロケーション判断器８４４は、様々な方法でロケーションを判断することができる。たとえば、全地球測位システム（「ＧＰＳ」）技術、支援型ＧＰＳ技術、ネットワークベースのロケーション判断方法、ＲＦベースの方法、または何らかの他の好適な方法を使用してロケーションを判断することができる。
【００８４】
ブロック９０４で表されるように、アクセスポイント８０２は、そのロケーション関連情報（たとえば、そのロケーションの推定値）をネットワークノード８０４に送信する。いくつかの実装形態では、（たとえば、アクセスポイント８０２が構成サーバに接続すると）この動作はアクセスポイント８０２によって開始される。いくつかの実装形態では、構成サーバは、（たとえば、要求を介して）その接続セットアッププロトコルの一部としてこのロケーション情報を明示的に求めることができる。アクセスポイント８０２はまた、ネットワークノード８０４が適切な応答を与えるために使用することができる他の情報（たとえば、電力プロファイル、ノードタイプ）をネットワークノード８０４に送信することができる。
【００８５】
ブロック９０６で表されるように、ネットワークノード８０４（たとえば、ネイバー判断器８４０）がアクセスポイント８０２からロケーション情報を受信すると、ネットワークノード８０４は、アクセスポイント８０２のネイバーを識別し、ネイバーリストを生成する。このネイバーリストは、たとえば、アクセスポイント８０２に比較的近接する任意のマクロアクセスポイント、ならびにアクセスポイント８０２の地理的近傍の任意の他のアクセスポイント（たとえば、フェムトノードなど）を含むことができる。
【００８６】
ネイバーリストは、アクセスポイント８０２とそのネイバーとの電力種別（または電力プロファイル）の機能とすることができる。たとえば、高電力を用いて送信する遠いマクロアクセスポイントが、アクセスポイント８０２のネイバーとなることがある。対照的に、アクセスポイント８０２に比較的近接する低電力アクセスポイント（たとえば、フェムトノード）とアクセスポイント８０２とのカバレージエリアが交差しない場合、その低電力アクセスポイントはネイバーリスト中に含まれない。その結果、場合によっては、アクセスポイント８０２は、電力種別情報をロケーション情報とともにネットワークノード８０２に送信することができる。さらに、ネットワークノード８０４は、ネットワーク中の他のアクセスポイントから電力関連情報を取得することができる。ブロック９０８で表されるように、ネイバーリストが生成されると、ネットワークノード８０４はネイバーリストをアクセスポイント８０２に送信する。
【００８７】
再び図７を参照すると、ブロック７０４で表されるように、アクセスポイント８０２（たとえば、構成コントローラ８３２）は、そのネイバーの構成を判断する。上述のように、アクセスポイント８０２は、様々な方法でそのネイバーの構成情報を獲得することができる。たとえば、アクセスポイント８０２は、バックホールを介してネイバーと直接接続し、それによってパラメータの選択されたセットを読み取ることができる。アクセスポイント８０２は、隣接するアクセスポイント（たとえば、上述のパイロット識別子）の１つまたは複数のパラメータを発見するために、無線で聴取することができる。アクセスポイント８０２は、アクセス端末支援ネイバー発見を使用することができ、それによってアクセスポイント８０２に関連付けられたアクセス端末が構成情報をアクセスポイント８０２に送信することができる。たとえば、アクセス端末８１８（たとえば、構成コントローラ８３６）は、アクセス端末８１８が聴取したネイバーアクセスポイントをアクセスポイント８０２に通知することができる。また、アクセスポイント８０２は、本明細書で論じるネットワークノード８０４（たとえば、構成コントローラ８３４）などの構成サーバからネイバーノードの構成情報を受信することができる。アクセスポイント１０２は、本明細書で説明する技法の１つまたは複数を使用して、または、他の技法を使用して構成情報を取得することができることを諒解されたい。
【００８８】
ブロック７０６で表されるように、アクセスポイント８０２（たとえば、構成判断器８４８）は、ブロック７０４において取得される構成情報に基づいて、アクセスポイント８０２のための構成を指定することができる。いくつかの態様では、アクセスポイント８０２は、そのネイバーのパラメータ（たとえば、ＲＦパラメータ）に応じて、パラメータ（たとえば、ＲＦパラメータ）のそれ自体のセットを自律的に選択することができる。
【００８９】
場合によっては、アクセスポイント８０２は、そのネイバーの１つまたは複数の電力プロファイルに基づいて、その電力プロファイルを選択することができる。たとえば、アクセスポイント８０２は、そのネイバーによって使用される同じ電力プロファイルを選択することができる。代替的に、アクセスポイント８０２は、その（１つまたは複数の）ネイバーによって使用される（１つまたは複数の）電力プロファイルを補足する電力プロファイルを選択することができる。電力プロファイルは、たとえば、最大送信電力、異なる条件に対する異なる送信電力、または他の電力パラメータを定義することができる。
【００９０】
上述のように、場合によっては、アクセスポイント８０２は、そのネイバーによって使用されるパイロット識別子に基づいて、パイロット識別子（たとえば、パイロットＰＮ）を選択することができる。たとえば、アクセスポイント８０２は、そのネイバーとは異なるパイロット識別子を選択することができる。
【００９１】
場合によっては、アクセスポイント８０２は、そのネイバーによって使用される（１つまたは複数の）搬送波に基づいて搬送波（たとえば、ＲＦ周波数帯域）を選択することができる。たとえば、ネットワーク中の隣接するノードは、干渉管理方式を実装するために、（たとえば、搬送波マスクまたは何らかの他の好適な指示によって示される）搬送波優先順位の相補型セットを選択することができる。ここで、各アクセスポイントは、ある搬送波上ではより多くのエネルギーを放射し、他の搬送波上では放射するエネルギーはより少ない（たとえば、または全く放射しない）。隣接するアクセスポイントが相補型方法でこれらの搬送波優先順位を選択した場合、それは、アクセスポイントの各々に関連付けられたアクセス端末が、少なくとも搬送波のいくつかの上でより好ましい干渉環境を有することができるようにする。自律的方法でこれを達成するために、新しいアクセスポイント（たとえば、最近初期化されたアクセスポイント）は、そのネイバーによって使用される搬送波優先順位を判断し、できるだけそれらを補足するようにそれ自体の搬送波優先順位を選択することができる。
【００９２】
いくつかの態様では、アクセスポイント８０２の構成は、そのロケーションに依存することがある。たとえば、構成サーバ（たとえば、構成コントローラ８３４）は、アクセスポイントによって使用できるパラメータ（たとえば、許されたパラメータ範囲）のリスト（たとえば、サブセット）を指定することができる。上述のように図３に関連して、指定されるリストはアクセスポイント８０２のロケーションに基づくことができる。たとえば、アクセスポイント８０２によって使用できる電力プロファイルの特定のリストは、アクセスポイント８０２のロケーションに基づいて指定できる。同様に、アクセスポイント８０２によって使用できる周波数帯域の特定のリストは、アクセスポイント８０２のロケーションに基づいて指定できる。広いレベルにおいて、アクセスポイント８０２が現在存在する市、州または国は、アクセスポイント８０２がどの周波数帯域を使用することができるかを限定することができる。たとえば、同じオペレータは、異なる国で異なる周波数帯域を所有することができるか、または、オペレータは、異なる市で異なる周波数帯域の使用を指定することができる。
【００９３】
いくつかの実装形態では、構成情報は、いくつかの最適化パラメータ（たとえば、非無線パラメータ）を含むことができる。そのようなパラメータは、たとえば、１つまたは複数のサービス（たとえば、ネットワーク接続性）にアクセスするために使用できるセキュリティキーを含むことができる。そのようなパラメータは、アクセスポイント８０２が接続する必要がある他のノードのアドレスをも含むことができる。
【００９４】
図７のブロック７０８で表されるように、次いで、アクセスポイント８０２は、通信または他の動作のためにブロック７０６において指定された構成を使用することができる。たとえば、上述のように、トランシーバ８０６は、判断されたＲＦパラメータを用いて、どのパイロット識別子を広告すべきか、どの搬送波上で動作すべきか、およびこれらの搬送波上で使用すべき送信電力レベルを判断するように構成できる。
【００９５】
ブロック７１０で表されるように、アクセスポイント８０２は、競合（たとえば、衝突）を検出するためにそのネイバーの構成を監視し続けることができる。上述のように、競合の場合には、アクセスポイント８０２は、競合を解決するために、上述の構成動作を実行することができる。
【００９６】
いくつかの実装形態では、アクセスポイント８０２は、アクセス端末（たとえば、アクセス端末８１８）から競合の指示を受信することができる。たとえば、アクセス端末８１８が競合を検出した（たとえば、競合検出器８３８が、同じパイロット識別子を使用する２つのアクセスポイントを検出した）場合、アクセス端末８１８は、対応するメッセージをアクセスポイント８０２に送信することができる。このメッセージに基づいて、構成コントローラ８０２は、アクセスポイント８０２のための異なる構成を選択するために、上述した動作を実行することができる。
【００９７】
図７〜図９に関連して上述した動作および構成要素は、他の図を参照しながら本明細書で説明する構成方式に適用可能であることを諒解されたい。たとえば、これらの動作および構成要素は、（たとえば、図３〜図６に関連して上述した）アクセスポイントのためのパイロット識別子を構成することに関連して使用できる。
【００９８】
次に図１０および図１１を参照すると、いくつかの実装形態では、アクセスポイントは、別のノード（たとえば、構成サーバ）から構成情報を取得することができ、それによって、構成情報はアクセスポイントのロケーションに依存する。便宜上、図１０および図１１の動作について、図８のアクセスポイント８０２およびネットワークノード８０４の文脈で説明する。
【００９９】
図１０のブロック１００２および１００４で表されるように、アクセスポイント８０２（たとえば、ロケーション判断器８４４）は、そのロケーションを判断し、この情報をネットワークノード８０４に与える。したがって、この動作は、（たとえば、ブロック９０２および９０４における）上述したロケーション判断動作と同様とすることができる。
【０１００】
ブロック１００６で表されるように、ネットワークノード８０４（たとえば、構成コントローラ８３４）は、受信したロケーション情報に基づいてアクセスポイント８０２のための構成情報を判断する。たとえば、上述のように、構成情報は、ＲＦパラメータ、最適化パラメータ、他のパラメータ、またはこれらのパラメータの２つ以上の組合せを備えることができる。場合によっては、この動作は、アクセスポイント８０２について定義されている全く新しい構成を生じることがある。代替的に、ネットワークノード８０４は、アクセスポイント８０２によって使用される一部のパラメータのみを定義することがある。
【０１０１】
ブロック１００８で表されるように、ネットワークノード８０４は構成情報をアクセスポイント８０２に送信する。次いで、アクセスポイント８０２は、受信した構成情報を使用するように構成される（ブロック１０１０）。
【０１０２】
次に図１１を参照すると、場合によっては、構成サーバは、アクセスポイントを異なる構成サーバにリダイレクトすることを選択することができる。たとえば、アクセスポイントのロケーションおよび／または構成サーバ上の負荷に基づいてそのような判断を行うことができる。
【０１０３】
ブロック１１０２で表されるように、アクセスポイント８０２は、構成情報を取得するためのメッセージをネットワークノード８０４に送信する。上述のように、そのようなメッセージは、アクセスポイント８０２のロケーションを示す情報を含むことができる。
【０１０４】
ブロック１１０４で表されるように、ネットワークノード８０４（たとえば、構成サーバ選択器８４２）は、要求された構成情報を与えるべきかどうかを判断することができる。たとえば、ネットワークノード８０４は、アクセスポイント８０２のロケーションに基づいて、（たとえば、アクセスポイント８０２により近い）別の構成サーバが要求を処理するべきであると判断することができる。また、ネットワークノード８０４は、ネットワークノード８０４における負荷に基づいて要求をリダイレクトすることを選択することができる。たとえば、ネットワークノード８０４に高い負荷がかかった場合、ネットワークノード８０４は、高い負荷がかかっていない別の構成サーバに要求をリダイレクトすることができる。
【０１０５】
ブロック１１０６および１１０８で表されるように、ネットワークノード８０４が要求を処理することを決定した場合、ネットワークノード８０４は要求された構成情報をアクセスポイント８０２に与えることができる。たとえば、この動作は、図１０に関連して上述した動作と同様とすることができる。
【０１０６】
ブロック１１１０で表されるように、ネットワークノード８０４が（たとえば、その負荷、またはアクセスポイント８０２の近接度に基づいて）要求を処理しないことを決定した場合、ネットワークノード８０４（たとえば、構成サーバ選択器８４２）は、構成情報をアクセスポイント８０２に与えることができる別の構成サーバを識別する。この目的で、ネットワークノード８０４は、ネットワーク上の他の構成サーバに関する情報を含むデータベースを維持することができる。さらに、または代替的に、ネットワークノード８０４はこの情報を取得するために、構成されるか、発見を行うか、または別のノードと通信することができる。
【０１０７】
ブロック１１１２で表されるように、ネットワークノード８０４は、他の構成サーバの指示を（たとえば、リダイレクションメッセージの形態で）アクセスポイント８０２に送信する。いくつかの実装形態では、指示は、アクセスポイント８０２が他の構成サーバのアドレスを判断することを可能にする情報を備えることができる。たとえば、指示は構成サーバのロケーション（たとえば、市）を備えることができる。この情報を受信すると、アクセスポイント８０２は、他の構成サーバのアドレスを（たとえば、ＤＮＳクエリを介して）判断することができる。
【０１０８】
いくつかの実装形態では、指示は他の構成サーバのアドレスを備えることができる。いくつかの実装形態では、リダイレクションは、異なる構成サーバのアドレスを示すパラメータを設定する構成サーバによって達成できる。次いで、このパラメータの変更があると判断すると、アクセスポイント８０２は、新しい構成サーバとの接続を確立しようと試みる。
【０１０９】
ブロック１１１４で表されるように、したがって、アクセスポイント８０２は、構成情報を取得するためのメッセージを他の構成サーバに送信することができる。アクセスポイント８０２は、構成サーバとのその構成交換を完了すると、ユーザ通信動作を開始することができる。
【０１１０】
上述のように、本明細書の教示は、マクロアクセスポイント、フェムトノード、リレーノードなどを採用するネットワーク中で実装できる。図１２および図１３に、アクセスポイントがそのようなネットワーク中でどのように展開されるかの例を示す。図１２に、ワイヤレス通信システム１２００のセル１２０２（たとえば、マクロセル１２０２Ａ〜１２０２Ｇ）が、対応するアクセスポイント１２０４（たとえば、アクセスポイント１２０４Ａ〜１２０４Ｇ）によってどのようにサービスされるかを、簡略化した形で示す。ここで、マクロセル１２０２は、図２のマクロカバレージエリア２０４に対応することができる。図１２に示すように、アクセス端末１２０６（たとえば、アクセス端末１２０６Ａ〜１２０６Ｌ）は、時間とともにシステム全体にわたって様々な位置に分散できる。各アクセス端末１２０６は、たとえば、アクセス端末１２０６がアクティブかどうか、およびアクセス端末１２０６がソフトハンドオーバ中かどうかに応じて、所与の瞬間に順方向リンク（「ＦＬ」）および／または逆方向リンク（「ＲＬ」）上で１つまたは複数のアクセスポイント１２０４と通信することができる。このセルラー方式を使用して、ワイヤレス通信システム１２００は、大きい地理的領域にわたってサービスを与えることができる。たとえば、マクロセル１２０２Ａ〜１２０２Ｇの各々は、近隣内の数ブロックまたは地方環境の数平方マイルをカバーすることができる。
【０１１１】
図１３に、１つまたは複数のフェムトノードがネットワーク環境（たとえば、システム１２００）内でどのように展開されるかの例を示す。図１３のシステム１３００では、複数のフェムトノード１３１０（たとえば、フェムトノード１３１０Ａおよび１３１０Ｂ）が、比較的小さいエリアカバレージネットワーク環境中に（たとえば、１つまたは複数のユーザ住居１３３０中に）設置される。各フェムトノード１３１０は、ＤＳＬルータ、ケーブルモデム、ワイヤレスリンク、または他の接続手段（図示せず）を介して、ワイドエリアネットワーク１３４０（たとえば、インターネット）および（たとえば、本明細書で論じるネットワークノードを備える）モバイルオペレータコアネットワーク１３５０に結合できる。
【０１１２】
フェムトノード１３１０の所有者は、たとえば、モバイルオペレータコアネットワーク１３５０を介して提供される３Ｇモバイルサービスなど、モバイルサービスに加入することができる。さらに、アクセス端末１３２０は、マクロ環境と、より小さいエリアカバレージ（たとえば、住居）ネットワーク環境の両方で動作することが可能である。言い換えれば、アクセス端末１３２０の現在位置に応じて、アクセス端末１３２０は、モバイルオペレータコアネットワーク１３５０に関連付けられたマクロセルアクセスポイント１３６０によって、または、フェムトノード１３１０のセットのいずれか１つ（たとえば、対応するユーザ住居１３３０内に常駐するフェムトノード１３１０Ａおよび１３１０Ｂ）によってサービスされることがある。たとえば、加入者が自宅の外にいるとき、標準のマクロアクセスポイント（たとえば、アクセスポイント１３６０）によってサービスされ、加入者が自宅の近く、または自宅の中にいるとき、フェムトノード（たとえば、ノード１３１０Ａ）によってサービスされる。ここで、フェムトノード１３１０は、レガシーアクセス端末１３２０と後方互換性がある。
【０１１３】
フェムトノード１３１０は、単一の周波数上に展開でき、または代替として、複数の周波数上に展開できる。特定の構成に応じて、単一の周波数、あるいは複数の周波数のうちの１つまたは複数は、マクロアクセスポイント（たとえば、アクセスポイント１３６０）によって使用される１つまたは複数の周波数と重なることがある。
【０１１４】
いくつかの態様では、アクセス端末１３２０は、そのような接続性が可能であるときはいつでも、好ましいフェムトノード（たとえば、アクセス端末１３２０のホームフェムトノード）に接続するように構成できる。たとえば、アクセス端末１３２０Ａがユーザの住居１３３０内にあるときはいつでも、アクセス端末１３２０Ａがホームフェムトノード１３１０Ａまたは１３１０Ｂのみと通信することが望ましい。
【０１１５】
いくつかの態様では、アクセス端末１３２０がマクロセルラーネットワーク１３５０内で動作しているが、（たとえば、好ましいローミングリスト中に定義された）その最も好ましいネットワーク上に常駐していない場合、アクセス端末１３２０は、ベターシステムリセレクション（「ＢＳＲ」）を使用して、最も好ましいネットワーク（たとえば、好ましいフェムトノード１３１０）を探索し続けることができ、ベターシステムリセレクションでは、より良好なシステムが現在利用可能であるかどうかを判断するために利用可能なシステムの周期的なスキャンを行い、以後、そのような好ましいシステムに関連付けるために取り組むことができる。獲得エントリを用いて、アクセス端末１３２０は、特定の帯域およびチャネルの探索を制限することができる。たとえば、最も好ましいシステムの探索を周期的に繰り返すことができる。好ましいフェムトノード１３１０が発見されると、アクセス端末１３２０は、そのカバレージエリア内にキャンプするためにフェムトノード１３１０を選択する。
【０１１６】
フェムトノードは、いくつかの態様では、制限されることがある。たとえば、所与のフェムトノードは、いくつかのサービスをいくつかのアクセス端末のみに与えることができる。いわゆる制限（または限定）関連付けを用いた展開では、所与のアクセス端末は、マクロセルモバイルネットワークと、フェムトノードの定義されたセット（たとえば、対応するユーザ住居１３３０内に常駐するフェムトノード１３１０）とによってのみサービスされる。いくつかの実装形態では、ノードは、少なくとも１つのノードにシグナリング、データアクセス、登録、ページング、またはサービスのうちの少なくとも１つを与えないように制限される。
【０１１７】
いくつかの態様では、（限定加入者グループＨｏｍｅ ＮｏｄｅＢと呼ばれることもある）制限されたフェムトノードは、サービスを、制限された準備されたアクセス端末のセットに与えるノードである。このセットは、必要に応じて、一時的にまたは永続的に拡大できる。いくつかの態様では、限定加入者グループ（「ＣＳＧ」）は、アクセス端末の共通のアクセス制御リストを共有するアクセスポイント（たとえば、フェムトノード）のセットとして定義できる。領域中のすべてのフェムトノード（または、制限されたすべてのフェムトノード）が動作するチャネルをフェムトチャネルと呼ぶことがある。
【０１１８】
したがって、所与のフェムトノードと所与のアクセス端末との間に様々な関係が存在する。たとえば、アクセス端末の観点から、開いたフェムトノードは、制限された関連付けをもたない（たとえば、フェムトノードが任意のアクセス端末へのアクセスを許す）フェムトノードを指す。制限されたフェムトノードは、何らかの形で制限された（たとえば、関連付けおよび／または登録のために制限された）フェムトノードを指す。ホームフェムトノードは、アクセス端末がアクセスし、その上で動作することを許可される（たとえば、永続的なアクセスが、１つまたは複数のアクセス端末の定義されたセットに与えられる）フェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【０１１９】
制限されたフェムトノードの観点から、ホームアクセス端末は、制限されたフェムトノードへのアクセスを許可されるアクセス端末を指す（たとえば、アクセス端末は、フェムトノードへの永続的なアクセスを有する）。ゲストアクセス端末は、（たとえば、最終期限、使用の時間、バイト、接続カウントあるいは何らかの他の１つまたは複数の基準に基づいて限定される）制限されたフェムトノードへの一時的アクセスをもつアクセス端末を指す。外来アクセス端末は、たとえば、おそらく９１１番などの非常事態を除いて、制限されたフェムトノードにアクセスする許可を有していないアクセス端末（たとえば、制限されたフェムトノードに登録する証明書または許可を有していないアクセス端末）を指す。
【０１２０】
便宜上、本明細書の開示では、フェムトノードの文脈で様々な機能について説明する。ただし、ピコノードまたはリレーノードは、異なる（より大きい）カバレージエリアに同じまたは同様の機能を与えることができることを諒解されたい。たとえば、所与のアクセス端末に対して、ピコノードまたはリレーノードを制限すること、ホームピコノードまたはホームリレーノードを定義することなどが可能である。
【０１２１】
本明細書の教示は様々なタイプの通信デバイスに実装できる。いくつかの態様では、本明細書の教示は、複数のワイヤレスアクセス端末のための通信を同時にサポートすることができる多元接続通信システムにおいて展開できるワイヤレスデバイスにおいて実装できる。ここで、各端末は、順方向リンクおよび逆方向リンク上の送信を介して１つまたは複数のアクセスポイントと通信する。（ダウンリンクとしても知られている）順方向リンクは、アクセスポイントから端末への通信リンクを指し、（アップリンクとしても知られている）逆方向リンクは、端末からアクセスポイントへの通信リンクを指す。この通信リンクは、１入力１出力システム、多入力多出力（ＭＩＭＯ）システム、または何らかの他のタイプのシステムを介して確立できる。
【０１２２】
説明のために、図１４は、ＭＩＭＯベースのシステム８００の状況でワイヤレスデバイス中で使用できる例示的な通信構成要素について説明する。システム１４００は、データ伝送用の複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルと呼ばれることもあるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０１２３】
システム１４００は時分割複信（「ＴＤＤ」）および周波数分割複信（「ＦＤＤ」）をサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム形成利得を抽出することが可能になる。
【０１２４】
システム１４００は、ワイヤレスデバイス１４１０（たとえば、アクセスポイント）およびワイヤレスデバイス１４５０（たとえば、アクセス端末）を含む。デバイス１４１０では、いくつかのデータストリームのトラフィックデータが、データソース１４１２から送信（「ＴＸ」）データプロセッサ１４１４に与えられる。
【０１２５】
いくつかの態様では、各データストリームは、それぞれの送信アンテナを介して送信される。ＴＸデータプロセッサ１４１４は、符号化データを供給するために、そのデータストリーム用に選択された特定の符号化方式に基づいて、データストリームごとにトラフィックデータをフォーマット化し、符号化し、インタリーブする。
【０１２６】
各データストリームの符号化データは、ＯＦＤＭ技法を使用してパイロットデータで多重化できる。パイロットデータは、典型的には、知られている方法で処理され、チャネル応答を推定するために受信機システムにおいて使用できる知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ１４３０によって実行される命令によって決定される。データメモリ１４３２は、プロセッサ１４３０またはデバイス１４１０の他の構成要素によって使用されるプログラムコード、データおよび他の情報を記憶する。
【０１２７】
次いで、すべてのデータストリームの変調シンボルがＴＸ ＭＩＭＯプロセッサ１４２０に供給され、ＴＸ ＭＩＭＯプロセッサ１４２０はさらに（たとえば、ＯＦＤＭの場合）その変調シンボルを処理する。次いで、ＴＸ ＭＩＭＯプロセッサ１４２０は、ＮＴ個の変調シンボルストリームをＮＴ個のトランシーバ（「ＸＣＶＲ」）１４２２Ａ〜１４２２Ｔに供給する。いくつかの態様では、ＴＸ ＭＩＭＯプロセッサ１４２０は、データストリームのシンボルと、シンボルが送信されているアンテナとにビーム形成重みを付加する。
【０１２８】
各トランシーバ１４２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ１４２２Ａ〜１４２２ＴからのＮＴ個の変調信号は、それぞれ、ＮＴ個のアンテナ１４２４Ａ〜１４２４Ｔから送信される。
【０１２９】
デバイス１４５０では、送信された変調信号はＮＲ個のアンテナ１４５２Ａ〜１４５２Ｒによって受信され、各アンテナ１４５２からの受信信号は、それぞれのトランシーバ（「ＸＣＶＲ」）１４５４Ａ〜１４５４Ｒに供給される。各トランシーバ１４５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【０１３０】
次いで、受信（「ＲＸ」）データプロセッサ１４６０は、特定の受信機処理技法に基づいてＮＲ個のトランシーバ１４５４からＮＲ個の受信シンボルストリームを受信し、処理して、ＮＴ個の「検出」シンボルストリームを供給する。次いで、ＲＸデータプロセッサ１４６０は、各検出シンボルストリームを復調し、デインタリーブし、復号して、データストリームに対するトラフィックデータを回復する。ＲＸデータプロセッサ１４６０による処理は、デバイス１４１０におけるＴＸ ＭＩＭＯプロセッサ１４２０およびＴＸデータプロセッサ１４１４によって実行される処理を補足するものである。
【０１３１】
プロセッサ１４７０は、どのプリコーディング行列（以下で論じる）を使用すべきかを定期的に判断する。プロセッサ１４７０は、行列インデックス部とランク値部とを備える逆方向リンクメッセージを作成する。データメモリ１４７２は、プロセッサ１４７０またはデバイス１４５０の他の構成要素によって使用されるプログラムコード、データおよび他の情報を記憶する。
【０１３２】
逆方向リンクメッセージは、通信リンクおよび／または受信データストリームに関する様々な種類の情報を備えることができる。次いで、逆方向リンクメッセージは、データソース１４３６からいくつかのデータストリームのトラフィックデータをも受信するＴＸデータプロセッサ１４３８によって処理され、変調器１４８０によって変調され、トランシーバ１４５４Ａ〜１４５４Ｒによって調整され、デバイス１４１０に戻される。
【０１３３】
デバイス１４１０において、デバイス１４５０からの変調信号は、アンテナ１４２４によって受信され、トランシーバ１４２２によって調整され、復調器（「ＤＥＭＯＤ」）１４４０によって復調され、ＲＸデータプロセッサ１４４２によって処理されて、デバイス１４５０によって送信された逆方向リンクメッセージが抽出される。次いで、プロセッサ１４３０は、ビーム形成重みを決定するためにどのプリコーディング行列を使用すべきかを判断し、次いで、抽出されたメッセージを処理する。
【０１３４】
図１４はまた、通信構成要素が、本明細書で教示する構成（「ＣＯＮＦＩＧ」）制御動作を実行する１つまたは複数の構成要素を含むことができることを示す。たとえば、構成制御構成要素１４９０は、デバイス１４１０のプロセッサ１４３０および／または他の構成要素と協働して、本明細書で教示する別のデバイス（たとえば、デバイス１４５０）との間で信号を送信／受信することができる。同様に、構成制御構成要素１４９２は、デバイス１４５０のプロセッサ１４７０および／または他の構成要素と協働して、別のデバイス（たとえば、デバイス１４１０）との間で信号を送信／受信することができる。各デバイス１４１０および１４５０について、記載の構成要素の２つ以上の機能が単一の構成要素によって提供できることを諒解されたい。たとえば、単一の処理構成要素が構成制御構成要素１４９０およびプロセッサ１４３０の機能を提供し、また、単一の処理構成要素が構成制御構成要素１４９２およびプロセッサ１４７０の機能を提供することができる。
【０１３５】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムで使用できる。たとえば、本明細書の教示は、符号分割多元接続（「ＣＤＭＡ」）システム、多重キャリアＣＤＭＡ（「ＭＣＣＤＭＡ」）、Ｗｉｄｅｂａｎｄ ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、単一搬送波ＦＤＭＡ（「ＳＣ−ＦＤＭＡ」）システム、直交周波数分割多元接続（「ＯＦＤＭＡ」）システム、または他の多元接続技法の技術のいずれか１つまたは組合せに適用される。本明細書の教示を使用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計される。ＣＤＭＡネットワークは、Ｕｎｉｖｅｒｓａｌ Ｔｅｒｒｅｓｔｒｉａｌ Ｒａｄｉｏ Ａｃｃｅｓｓ（「ＵＴＲＡ」）、ｃｄｍａ２０００、または何らかの他の技術などの無線技術を実装することができる。ＵＴＲＡは、Ｗ−ＣＤＭＡおよび低チップレート（「ＬＣＲ」）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ Ｓｙｓｔｅｍ ｆｏｒ Ｍｏｂｉｌｅ Ｃｏｍｍｕｎｉｃａｔｉｏｎｓ（「ＧＳＭ（登録商標）」）などの無線技術を実装することができる。ＯＦＤＭＡネットワークは、進化型ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ Ｍｏｂｉｌｅ Ｔｅｌｅｃｏｍｍｕｎｉｃａｔｉｏｎ Ｓｙｓｔｅｍ（「ＵＭＴＳ」）の一部である。本明細書の教示は、３ＧＰＰロングタームエボリューション（「ＬＴＥ」）システム、ウルトラモバイルブロードバンド（「ＵＭＢ」）システム、および他のタイプのシステムで実装できる。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ Ｒｅｌ０、ＲｅｖＡ、ＲｅｖＢ）技術および他の技術に適用できることを理解されたい。
【０１３６】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレスノード）はアクセスポイントまたはアクセス端末を備えることができる。
【０１３７】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備える、いずれかとして実装される、またはいずれかとして知られることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイスまたはビデオデバイス、あるいは衛星ラジオ）、全地球測位システムデバイス、あるいはワイヤレス媒体を介して通信するように構成された他の好適デバイスに組み込むことができる。
【０１３８】
アクセスポイントは、ノードＢ、ｅＮｏｄｅＢ、無線ネットワーク制御装置（「ＲＮＣ」）、基地局（「ＢＳ」）、無線基地局（「ＲＢＳ」）、基地局制御装置（「ＢＳＣ」）、送受信基地局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、または何らかの他の同様の用語を備える、いずれかとして実装される、またはいずれかとして知られることがある。
【０１３９】
いくつかの態様では、ノード（たとえば、アクセスポイント）は、通信システムのためのアクセスノードを備えることができる。そのようなアクセスノードは、たとえば、ネットワークへの有線またはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【０１４０】
また、ワイヤレスノードは、有線の方式で（たとえば、有線接続を介して）情報を送信および／または受信することができることを諒解されたい。したがって、本明細書で論じる受信機および送信機は、有線媒体を介して通信するために適切な通信インターフェース構成要素（たとえば、電子的または光学的インターフェース構成要素）を含むことができる。
【０１４１】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークはローカルエリアネットワークまたはワイドエリアネットワークを備えることができる。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含むことができる。たとえば、ワイヤレスノードは、ワイヤレス媒体上の通信を可能にする様々な構成要素（たとえば、信号発生器および信号処理器）を含むことができる関連する送信機構成要素および受信機構成要素をもつワイヤレストランシーバを備えることができる。
【０１４２】
本明細書で説明する構成要素は、様々な方法で実装することができる。図１５〜図２２を参照すると、装置１５００、１６００、１７００、１８００、１９００、２０００、２１００および２２００は一連の相互に関連する機能ブロックとして表される。いくつかの態様では、これらのブロックの機能は、１つまたは複数のプロセッサ構成要素を含む処理システムとして実装できる。いくつかの態様では、これらのブロックの機能は、たとえば、１つまたは複数の集積回路（たとえば、ＡＳＩＣ）の少なくとも一部を使用して実装できる。本明細書で論じるように、集積回路は、プロセッサ、ソフトウェア、他の関連した構成要素、またはその何らかの組合せを含むことができる。これらのブロックの機能は、本明細書で教示する方法とは別の何らかの方法で実装することもできる。いくつかの態様では、図１５〜図２２の１つまたは複数の破線ブロックは随意である。
【０１４３】
装置１５００、１６００、１７００、１８００、１９００、２０００、２１００、および２２００は、様々な図に関して上述した１つまたは複数の機能を実行することができる１つまたは複数のモジュールを含むことができる。たとえば、識別子判断手段１５０２または競合識別手段１５１６は、たとえば、本明細書で論じる識別子判断器に対応することがある。識別子選択手段１５０４は、たとえば、本明細書で論じる識別子選択器に対応することがある。タイプ送信手段１５０６またはロケーション送信手段１５１０は、たとえば、本明細書で論じる送信機に対応することがある。リスト受信手段１５０８は、たとえば、本明細書で論じる受信機に対応することがある。ネイバー受信生成送信手段１５１２およびアクセスポイント識別手段１５１４とは、本明細書で論じるネイバー発見コントローラに対応することがある。識別子リスト判断手段１６０２は、たとえば、本明細書で論じる構成コントローラに対応することがある。リスト送信手段１６０４は、たとえば、本明細書で論じる送信機に対応することがある。受信手段１６０６は、たとえば、本明細書で論じる受信機に対応することがある。ネイバー判断送信手段１６０８は、たとえば、本明細書で論じるネイバー判断器に対応することがある。アクセスポイント識別手段１７０２は、たとえば、本明細書で論じるネイバー発見コントローラに対応することがある。構成判断手段１７０４は、たとえば、本明細書で論じる構成判断器に対応することがある。構成指定手段１７０６は、たとえば、本明細書で論じる構成コントローラに対応することがある。競合識別手段１７０８は、たとえば、本明細書で論じる構成判断器に対応することがある。送信手段１７１０は、たとえば、本明細書で論じる送信機に対応することがある。受信手段１７１２は、たとえば、本明細書で論じる受信機に対応することがある。受信手段１８０２は、たとえば、本明細書で論じる受信機に対応することがある。アクセスポイント判断手段１８０４は、たとえば、本明細書で論じるネイバー判断器に対応することがある。送信手段１８０６は、たとえば、本明細書で論じる送信機に対応することがある。構成判断手段１８０８は、たとえば、本明細書で論じる構成コントローラに対応することがある。ロケーション情報送信手段１９０２は、たとえば、本明細書で論じるロケーション判断器に対応することがある。構成情報受信手段１９０４は、たとえば、本明細書で論じる構成コントローラに対応することがある。サーバ配置手段１９０６は、たとえば、本明細書で論じる通信コントローラに対応することがある。ロケーション情報受信手段２００２は、たとえば、本明細書で論じる受信機に対応することがある。構成情報判断手段２００４は、たとえば、本明細書で論じる構成コントローラに対応することがある。構成情報送信手段２００６は、たとえば、本明細書で論じる送信機に対応することがある。メッセージ送信手段２１０２は、たとえば、本明細書で論じる送信機に対応することがある。構成サーバ指示受信手段２１０４は、たとえば、本明細書で論じる受信機に対応することがある。アドレス判断手段２１０６は、たとえば、本明細書で論じる通信コントローラに対応することがある。要求受信手段２２０２は、たとえば、本明細書で論じる受信機に対応することがある。構成サーバ識別手段２２０４は、たとえば、本明細書で論じる構成サーバ選択器に対応することがある。指示送信手段２２０６は、たとえば、本明細書で論じる送信機に対応することがある。
【０１４４】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、１組の要素は１つまたは複数の要素を備えることがある。さらに、説明または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１４５】
情報および信号は様々な異なる技術および技法のいずれかを使用して表すことができることを、当業者は理解されよう。たとえば、上記の説明の全体にわたって言及することがあるデータ、命令、コマンド、情報、信号、ビット、シンボル、およびチップは、電圧、電流、電磁波、磁界または磁粒子、光場または光学粒子、あるいはそれらの任意の組合せによって表現できる。
【０１４６】
さらに、本明細書で開示された態様に関して説明した様々な例示的な論理ブロック、モジュール、プロセッサ、手段、回路、およびアルゴリズムステップのいずれかは、電子ハードウェア（たとえば、ソース符号化または何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアとのこの互換性を明確に示すために、様々な例示的な構成要素、ブロック、モジュール、回路、およびステップを、上記では概してそれらの機能に関して説明した。そのような機能をハードウェアとして実装するかソフトウェアとして実装するかは、特定の適用例および全体的なシステムに課された設計制約に依存する。当業者は、説明した機能を特定の適用例ごとに様々な方法で実装することができるが、そのような実装の決定は、本開示の範囲からの逸脱を生じると解釈すべきではない。
【０１４７】
本明細書で開示した態様に関して説明した様々な例示的な論理ブロック、モジュールおよび回路は、集積回路（「ＩＣ」）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書に記載の機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【０１４８】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示するものであり、提示された特定の順序または階層に限定されるものではない。
【０１４９】
説明した機能を、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形態の所望のプログラムコードを運搬または記憶するために使用でき、コンピュータによってアクセスできる他の任意の媒体を備えることができる。また、いかなる接続も正しくはコンピュータ可読媒体と呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。要約すると、コンピュータ可読媒体は任意の好適なコンピュータプログラム製品に実装できることを諒解されたい。
【０１５０】
上記に鑑みて、いくつかの態様では、通信の第１の方法は、アクセスポイントから、アクセスポイントのロケーションを示す情報を送信することと、アクセスポイントにおいて、アクセスポイントのための構成情報を受信することであって、構成情報がロケーションを示す情報に基づく、受信することとを備える。さらに、いくつかの態様では、以下のうちの少なくとも１つも通信の第１の方法に適用できる。構成情報は、少なくとも１つのＲＦパラメータを備える。構成情報は、周波数帯域と、搬送周波数と、パイロット識別子と、最大送信電力と、送信電力プロファイルとからなるグループのうちの少なくとも１つを備える。アクセスポイントは、ロケーションを示す情報を構成サーバに送信し、構成サーバから構成情報を受信する。本方法は、構成サーバからロケーションを示す情報の要求を受信することをさらに備え、アクセスポイントは、要求に応答してロケーションを示す情報を送信する。本方法は、構成サーバを配置することをさらに備える。構成情報は、少なくとも１つの最適化パラメータを備え、ロケーションを示す情報は、アクセスポイントが位置する市と、アクセスポイントが位置する国と、アクセスポイントにサービスするマクロアクセスポイントと、アクセスポイントが関連付けられたゾーンと、アクセスポイントが通信しているセルと、ＧＰＳ座標と、地理的ロケーションと、所在地住所とからなるグループのうちの少なくとも１つを示す。アクセスポイントはフェムトノードまたはリレーノードを備える。
【０１５１】
いくつかの態様では、通信の第２の方法は、アクセスポイントのロケーションを示す情報を受信することと、ロケーションを示す情報に基づいてアクセスポイントのための構成情報を判断することと、構成情報をアクセスポイントに送信することとを備える。さらに、いくつかの態様では、以下のうちの少なくとも１つも通信の第２の方法に適用できる。構成情報は、少なくとも１つのＲＦパラメータを備える。構成情報は、周波数帯域と、搬送周波数と、パイロット識別子と、最大送信電力と、送信電力プロファイルとからなるグループのうちの少なくとも１つを備える。本方法は、ロケーションを示す情報の要求を送信することをさらに備え、ロケーションを示す情報は、要求に応答して受信される。構成情報は、少なくとも１つの最適化パラメータを備える。ロケーションを示す情報は、アクセスポイントが位置する市と、アクセスポイントが位置する国と、アクセスポイントにサービスするマクロアクセスポイントと、アクセスポイントが関連付けられたゾーンと、アクセスポイントが通信しているセルと、ＧＰＳ座標と、地理的ロケーションと、所在地住所とからなるグループのうちの少なくとも１つを示す。本方法は構成サーバによって実行される。
【０１５２】
いくつかの態様では、通信の第３の方法は、アクセスポイントのための構成情報を取得するための第１のメッセージを第１の構成サーバに送信することと、第１のメッセージに応答して第１の構成サーバから第２の構成サーバの指示を受信することと、アクセスポイントのための構成情報を取得するための第２のメッセージを第２の構成サーバに送信することとを備える。さらに、いくつかの態様では、以下のうちの少なくとも１つも通信の第３の方法に適用できる。指示は第２の構成サーバのアドレスを備える。本方法は、指示に基づいて、第２の構成サーバのアドレスを判断することをさらに備える。第１のメッセージは、アクセスポイントのロケーションを示す情報を備え、第２の構成サーバの指示は、ロケーションを示す情報に基づいて受信される。ロケーションを示す情報は、アクセスポイントが位置する市と、アクセスポイントが位置する国と、アクセスポイントにサービスするマクロアクセスポイントと、アクセスポイントが関連付けられたゾーンと、アクセスポイントが通信しているセルと、アクセスポイントがサービスしているオペレータネットワークと、ＧＰＳ座標と、地理的ロケーションと、所在地住所とからなるグループのうちの少なくとも１つを示す。構成情報は、少なくとも１つのＲＦパラメータを備える。構成情報は、周波数帯域と、搬送周波数と、パイロット識別子と、最大送信電力と、送信電力プロファイルとからなるグループのうちの少なくとも１つを備える。構成情報は、少なくとも１つの最適化パラメータを備える。アクセスポイントはフェムトノードまたはリレーノードを備える。
【０１５３】
いくつかの態様では、通信の第４の方法は、第１の構成サーバにおいて、アクセスポイントのための構成情報の要求を受信することと、構成情報を与えることができる第２の構成サーバを識別することと、要求に応答して第２の構成サーバの指示を送信することとを備える。さらに、いくつかの態様では、以下のうちの少なくとも１つも通信の第４の方法に適用できる。第２の構成サーバの識別は、第１の構成サーバにおける負荷および／または第２の構成サーバにおける負荷に基づく。第２の構成サーバの識別は、第１の構成サーバにおけるロケーションおよび／または第２の構成サーバにおけるロケーションに基づく。要求は、アクセスポイントのロケーションを示す情報を備え、第２の構成サーバの識別は、ロケーションを示す情報に基づく。ロケーションを示す情報は、アクセスポイントが位置する市と、アクセスポイントが位置する国と、アクセスポイントにサービスするマクロアクセスポイントと、アクセスポイントが関連付けられたゾーンと、アクセスポイントが通信しているセルと、アクセスポイントがサービスしているオペレータネットワークと、ＧＰＳ座標と、地理的ロケーションと、所在地住所とからなるグループのうちの少なくとも１つを示す。指示は第２の構成サーバのアドレスを備える。構成情報は、少なくとも１つのＲＦパラメータを備える。構成情報は、周波数帯域と、搬送周波数と、パイロット識別子と、最大送信電力と、送信電力プロファイルとからなるグループのうちの少なくとも１つを備える。構成情報は、少なくとも１つの最適化パラメータを備える。
【０１５４】
いくつかの態様では、通信の第５の方法は、第１のアクセスポイントの少なくとも１つのネイバーアクセスポイントを識別することと、少なくとも１つのネイバーアクセスポイントの少なくとも１つの構成を判断することと、第１のアクセスポイントにおいて、少なくとも１つのネイバーアクセスポイントの少なくとも１つの構成に基づいて第１のアクセスポイントのための少なくとも１つの構成を指定することとを備える。さらに、いくつかの態様では、以下のうちの少なくとも１つも通信の第５の方法に適用できる。少なくとも１つの構成の指定は、少なくとも１つのＲＦパラメータを指定することを備える。少なくとも１つの構成の指定は、周波数帯域と、搬送周波数と、パイロット識別子と、最大送信電力と、送信電力プロファイルと、搬送波優先順位のセットとからなるグループのうちの少なくとも１つを指定することを備える。少なくとも１つの構成の指定は、少なくとも１つのネイバーアクセスポイントの電力プロファイルと同じである電力プロファイルを指定することを備える。少なくとも１つの構成の指定は、少なくとも１つのネイバーアクセスポイントによって使用される任意のパイロット識別子とは異なるパイロット識別子を指定することを備える。少なくとも１つの構成の指定は、少なくとも１つのネイバーアクセスポイントによって使用される搬送波優先順位の別のセットを補足する搬送波優先順位のセットを指定することを備える。本方法は、判断された少なくとも１つの構成と第１のアクセスポイントのために前に指定された構成との間の競合を識別することと、競合の識別に応答して第１のアクセスポイントのための競合しない構成を指定することとをさらに備える。少なくとも１つの構成の判断は、第１のアクセスポイントにおいて無線で構成情報を受信することと、第１のアクセスポイントにおいて関連するアクセスポイントから構成情報を受信することと、第１のアクセスポイントにおいてバックホールを介して構成情報を受信することと、第１のアクセスポイントにおいてサーバから構成情報を受信することとからなるグループのうちの少なくとも１つを備える。少なくとも１つの構成の判断は、少なくとも１つのマルチホップネイバーアクセスポイントの少なくとも１つの構成を示す情報を受信することを備える。少なくとも１つのネイバーアクセスポイントの識別は、第１のアクセスポイントによって、第１のアクセスポイントのロケーションおよび／または第１のアクセスポイントの電力プロファイルを示す情報を送信することと、第１のアクセスポイントにおいて、少なくとも１つのネイバーアクセスポイントの指示を受信することであって、指示が、送信された情報に基づく、受信することとを備える。第１のアクセスポイントは、ロケーションを示す情報を構成サーバに送信し、構成サーバから指示を受信する。第１のアクセスポイントは、ロケーションを示す情報を少なくとも１つの他のネイバーアクセスポイントに送信し、少なくとも１つの他のネイバーアクセスポイントから指示を受信する。ロケーションを示す情報は、第１のアクセスポイントが位置する市と、第１のアクセスポイントが位置する国と、第１のアクセスポイントにサービスするマクロアクセスポイントと、第１のアクセスポイントが関連付けられたゾーンと、第１のアクセスポイントが通信しているセルと、第１のアクセスポイントがサービスしているオペレータネットワークと、ＧＰＳ座標と、地理的ロケーションと、所在地住所とからなるグループのうちの少なくとも１つを示す。第１のアクセスポイントはフェムトノードまたはリレーノードを備える。
【０１５５】
いくつかの態様では、通信の第６の方法は、第１のアクセスポイントのロケーションを示す情報を受信することと、ロケーションを示す情報に基づいて第１のアクセスポイントの少なくとも１つのネイバーアクセスポイントを判断することと、少なくとも１つのネイバーアクセスポイントの指示を第１のアクセスポイントに送信することとを備える。さらに、いくつかの態様では、以下のうちの少なくとも１つも通信の第６の方法に適用できる。本方法は、第１のアクセスポイントの電力プロファイルを示す情報を受信することをさらに備え、少なくとも１つのネイバーアクセスポイントの判断は、電力プロファイルを示す情報にさらに基づく。本方法は、少なくとも１つの他のアクセスポイントの少なくとも１つの電力プロファイルを示す情報を受信することをさらに備え、少なくとも１つのネイバーアクセスポイントの判断は、少なくとも１つの電力プロファイルを示す情報にさらに基づく。本方法は、少なくとも１つのネイバーアクセスポイントの少なくとも１つの構成を判断することと、少なくとも１つの構成の指示を第１のアクセスポイントに送信することとをさらに備える。少なくとも１つの構成は、少なくとも１つのＲＦパラメータを備える。少なくとも１つの構成は、周波数帯域と、搬送周波数と、パイロット識別子と、最大送信電力と、送信電力プロファイルとからなるグループのうちの少なくとも１つを備える。ロケーションを示す情報は、第１のアクセスポイントが位置する市と、第１のアクセスポイントが位置する国と、第１のアクセスポイントにサービスするマクロアクセスポイントと、第１のアクセスポイントが関連付けられたゾーンと、第１のアクセスポイントが通信しているセルと、ＧＰＳ座標と、地理的ロケーションと、所在地住所とからなるグループのうちの少なくとも１つを示す。本方法は構成サーバによって実行される。
【０１５６】
いくつかの態様では、第１、第２、第３、第４、第５、および第６の通信の方法に関係する上記の態様のうちの１つまたは複数に対応する機能は、たとえば、本明細書で教示する構造を使用している装置中で実装できる。さらに、コンピュータプログラム製品は、第１、第２、第３、第４、第５、および第６の通信の方法に関係する上記の態様のうちの１つまたは複数に対応する機能をコンピュータに行わせるように構成されたコードを備えることができる。
【０１５７】
開示した態様の前述の説明は、当業者が本開示を実施または使用できるようにするために提供したものである。これらの態様への様々な変更は当業者には容易に明らかになり、本明細書で定義した一般原理は、本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
【図１】
2015062303.tif 000003
【図２】
2015062303.tif 000004
【図３】
2015062303.tif 000005
【図４】
2015062303.tif 000006
【図５】
2015062303.tif 000007
【図６】
2015062303.tif 000008
【図７】
2015062303.tif 000009
【図８】
2015062303.tif 000010
【図９】
2015062303.tif 000011
【図１０】
2015062303.tif 000012
【図１１】
2015062303.tif 000013
【図１２】
2015062303.tif 000014
【図１３】
2015062303.tif 000015
【図１４】
2015062303.tif 000016
【図１５】
2015062303.tif 000017
【図１６】
2015062303.tif 000018
【図１７】
2015062303.tif 000019
【図１８】
2015062303.tif 000020
【図１９】
2015062303.tif 000021
【図２０】
2015062303.tif 000022
【図２１】
2015062303.tif 000023
【図２２】
2015062303.tif 000024
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
アクセスポイントの通信の方法であって、
物理セル識別子（ＰＣＩ）のリストを受信することと、
少なくとも１つの他のアクセスポイントに関連付けられた少なくとも１つのＰＣＩを判断することと、
前記少なくとも１つのＰＣＩおよび前記受信したＰＣＩのリストに基づいて前記アクセスポイントのＰＣＩを選択することと
を備え、
前記少なくとも１つのＰＣＩを前記判断することは、少なくとも１つのマルチホップネイバーアクセスポイントのＰＣＩ、または、少なくとも１つの関連するユーザ機器からのＰＣＩ情報のうちの少なくとも１つを受信することを備える、方法。
【請求項２】
前記アクセスポイントは、ｅＮｏｄｅＢを備え、前記少なくとも１つの他のアクセスポイントは、少なくとも１つの他のｅＮｏｄｅＢを備える、請求項１に記載の方法。
【請求項３】
前記選択することは、
ユーザ機器によって報告されたＰＣＩと、ネイバーｅＮｏｄｅＢによって報告されたＰＣＩと、ダウンリンク受信機を使用して無線で受信されたＰＣＩとからなるグループのうちの少なくとも１つを、前記リストから削除することと、
前記削除の後、前記アクセスポイントに関連付けられたセルのためのＰＣＩを、前記リストから選択することと
を備える、請求項１に記載の方法。
【請求項４】
前記ＰＣＩを前記選択することは、前記ＰＣＩのリストからＰＣＩを選択することを備える、請求項１に記載の方法。
【請求項５】
前記リストがＰＣＩのセットのうちのサブセットを備える、請求項４に記載の方法。
【請求項６】
構成サーバから前記リストを受信することをさらに備える、請求項４に記載の方法。
【請求項７】
前記リストがオペレータ構成可能である、請求項４に記載の方法。
【請求項８】
前記リストが、アクセスポイントの少なくとも１つの指定されたタイプに関連付けられた、請求項４に記載の方法。
【請求項９】
前記アクセスポイントのタイプを示す情報をサーバに送信することと、
前記サーバから、前記タイプに基づく前記リストを受信することと
をさらに備える、請求項４に記載の方法。
【請求項１０】
前記リストが地理的領域に関連付けられた、請求項４に記載の方法。
【請求項１１】
前記少なくとも１つのマルチホップネイバーアクセスポイントの前記少なくとも１つのＰＣＩが、少なくとも１つのネイバー報告によって受信される、請求項１に記載の方法。
【請求項１２】
前記アクセスポイントのための前記ＰＣＩを選択することが、
前記アクセスポイントへのホップの関連する数に従って、前記少なくとも１つのＰＣＩの各ＰＣＩを分類することと、
競合しないＰＣＩが利用可能でない場合、前記分類に基づいてＰＣＩを選択することと
を備える、請求項１に記載の方法。
【請求項１３】
前記少なくとも１つの他のアクセスポイントの１つから第１のネイバー報告を受信することと、
前記第１のネイバー報告によって識別された任意のアクセスポイントを識別する第２のネイバー報告を生成することと、
ネイバー発見要求に応答して前記第２のネイバー報告を送信することと
をさらに備える、請求項１に記載の方法。
【請求項１４】
構成サーバから少なくとも１つのネイバーアクセスポイントの指示を受信することによって前記少なくとも１つの他のアクセスポイントを識別することをさらに備える、請求項１に記載の方法。
【請求項１５】
前記判断された少なくとも１つのＰＣＩと前記アクセスポイントのために前に指定されたＰＣＩとの間の競合を識別することと、
前記競合の前記識別に応答して前記アクセスポイントのための競合しないＰＣＩを指定することと
をさらに備える、請求項１に記載の方法。
【請求項１６】
前記競合を識別することが、関連するユーザ機器から前記競合の指示を受信することを備える、請求項１５に記載の方法。
【請求項１７】
通信のための装置であって、前記装置は、アクセスポイントであり、
物理セル識別子（ＰＣＩ）のリストを受信するように構成されたリスト受信機と、
少なくとも１つの他のアクセスポイントに関連付けられた少なくとも１つのＰＣＩを判断するように構成された識別子判断器と、
前記少なくとも１つのＰＣＩおよび前記受信したＰＣＩのリストに基づいて前記アクセスポイントのＰＣＩを選択するように構成された識別子選択器と
を備え、
前記識別子判断器は、少なくとも１つのマルチホップネイバーアクセスポイントのＰＣＩ、または、少なくとも１つの関連するユーザ機器からのＰＣＩ情報のうちの少なくとも１つを受信することによって、前記少なくとも１つのＰＣＩを判断するように構成された、装置。
【請求項１８】
前記識別子選択器はさらに、
前記ユーザ機器によって報告されたＰＣＩと、ネイバーｅＮｏｄｅＢによって報告されたＰＣＩと、ダウンリンク受信機を使用して無線で受信されたＰＣＩとからなるグループのうちの少なくとも１つを、前記リストから削除し、
前記削除の後、前記アクセスポイントに関連付けられたセルのための前記ＰＣＩを、前記リストから選択する
ように構成された、請求項１７に記載の装置。
【請求項１９】
前記識別子選択器は、前記削除の後、前記リストから前記ＰＣＩをランダムに選択するように構成された、請求項１８に記載の装置。
【請求項２０】
前記リストがＰＣＩのセットのうちのサブセットを備える、請求項１７に記載の装置。
【請求項２１】
前記リストが、アクセスポイントの少なくとも１つの指定されたタイプに関連付けられた、請求項１７に記載の装置。
【請求項２２】
前記リストが地理的領域に関連付けられた、請求項１７に記載の装置。
【請求項２３】
前記識別子判断器は、少なくとも１つのネイバー報告によって少なくとも１つのマルチホップネイバーアクセスポイントの前記少なくとも１つのＰＣＩを受信するように構成された、請求項１７に記載の装置。
【請求項２４】
通信のための装置であって、前記装置は、アクセスポイントであり、
物理セル識別子（ＰＣＩ）のリストを受信するための手段と、
少なくとも１つの他のアクセスポイントに関連付けられた少なくとも１つのＰＣＩを判断するための手段と、
前記少なくとも１つのＰＣＩおよび前記受信したＰＣＩのリストに基づいて前記アクセスポイントのＰＣＩを選択するための手段と
を備え、
前記少なくとも１つのＰＣＩを判断するための前記手段は、少なくとも１つのマルチホップネイバーアクセスポイントのＰＣＩ、または、少なくとも１つの関連するユーザ機器からのＰＣＩ情報のうちの少なくとも１つを受信するように構成された、装置。
【請求項２５】
選択するための前記手段は、
前記ユーザ機器によって報告されたＰＣＩと、ネイバーｅＮｏｄｅＢによって報告されたＰＣＩと、ダウンリンク受信機を使用して無線で受信されたＰＣＩとからなるグループのうちの少なくとも１つを、前記リストから削除し、
前記削除の後、前記アクセスポイントに関連付けられたセルのための前記ＰＣＩを、前記リストから選択する
ように構成された、請求項２４に記載の装置。
【請求項２６】
選択するための前記手段が、前記削除の後、前記リストからＰＣＩをランダムに選択することで、前記ＰＣＩを選択する、請求項２５に記載の装置。
【請求項２７】
前記リストがＰＣＩのセットのうちのサブセットを備える、請求項２４に記載の装置。
【請求項２８】
前記リストが、アクセスポイントの少なくとも１つの指定されたタイプに関連付けられた、請求項２４に記載の装置。
【請求項２９】
前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、請求項２８に記載の装置。
【請求項３０】
前記リストが地理的領域に関連付けられた、請求項２４に記載の装置。
【請求項３１】
前記少なくとも１つのマルチホップネイバーアクセスポイントの前記少なくとも１つのＰＣＩが、少なくとも１つのネイバー報告によって受信される、請求項２４に記載の装置。
【請求項３２】
コードを備えるコンピュータ読み取り可能な記録媒体であって、前記コードはコンピュータに、
物理セル識別子（ＰＣＩ）のリストを受信することと、
少なくとも１つの他のアクセスポイントに関連付けられた少なくとも１つのＰＣＩを判断することと、
前記少なくとも１つのＰＣＩおよび前記受信したＰＣＩのリストに基づいてＰＣＩを選択することと
を実行させ、
前記少なくとも１つのＰＣＩを判断することは、少なくとも１つのマルチホップネイバーアクセスポイントのＰＣＩ、または、少なくとも１つの関連するユーザ機器からのＰＣＩ情報のうちの少なくとも１つを受信することを備える、コンピュータ読み取り可能な記録媒体。
【請求項３３】
前記選択することはさらに、
前記ユーザ機器によって報告されたＰＣＩと、ネイバーｅＮｏｄｅＢによって報告されたＰＣＩと、ダウンリンク受信機を使用して無線で受信されたＰＣＩとからなるグループのうちの少なくとも１つを前記リストから削除することと、
前記削除の後、ＰＣＩを前記リストから選択することと
を実行させるコードを備える、請求項３２に記載のコンピュータ読み取り可能な記録媒体。
【請求項３４】
前記ＰＣＩを選択することが、前記削除の後、ＰＣＩを前記リストから選択することを備える、請求項３３に記載のコンピュータ読み取り可能な記録媒体。
【請求項３５】
前記リストが、アクセスポイントの少なくとも１つの指定されたタイプに関連付けられた、請求項３２に記載のコンピュータ読み取り可能な記録媒体。
【請求項３６】
前記リストが前記アクセスポイントのロケーションに基づく、請求項３２に記載のコンピュータ読み取り可能な記録媒体。
【手続補正２】
【補正対象書類名】明細書
【補正対象項目名】０１５７
【補正方法】変更
【補正の内容】
【０１５７】
開示した態様の前述の説明は、当業者が本開示を実施または使用できるようにするために提供したものである。これらの態様への様々な変更は当業者には容易に明らかになり、本明細書で定義した一般原理は、本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［Ｃ１］  通信の方法であって、
アクセスポイントにおいて、少なくとも１つの他のアクセスポイントによって送信された少なくとも１つの識別子を判断することと、
前記少なくとも１つの識別子に基づいて前記アクセスポイントによって送信されるべき識別子を選択することと
を備える方法。
［Ｃ２］  前記選択された識別子が、パイロット識別子、物理セル識別子、またはプライマリスクランブル系列を備える、Ｃ１に記載の方法。
［Ｃ３］  前記アクセスポイントがｅＮｏｄｅＢを備え、前記少なくとも１つの他のアクセスポイントが少なくとも１つの他のｅＮｏｄｅＢを備える、Ｃ２に記載の方法。
［Ｃ４］  前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、Ｃ２に記載の方法。
［Ｃ５］  前記物理セル識別子の前記選択が、前記削除の後、前記リストから物理セル識別子をランダムに選択することを備える、Ｃ４に記載の方法。
［Ｃ６］  前記識別子の前記選択が、前記少なくとも１つの他のアクセスポイントによって使用されない識別子を選択することを備える、Ｃ１に記載の方法。
［Ｃ７］  前記識別子の前記選択が、識別子のリストから前記識別子を選択することを備える、Ｃ１に記載の方法。
［Ｃ８］  前記リストが識別子のセットのうちのサブセットを備える、Ｃ７に記載の方法。
［Ｃ９］  前記識別子の前記選択が、前記リストからランダムな方法で前記識別子を選択することをさらに備える、Ｃ７に記載の方法。
［Ｃ１０］  構成サーバから前記リストを受信することをさらに備える、Ｃ７に記載の方法。
［Ｃ１１］  前記構成サーバが動作課金管理エンティティを備える、Ｃ１０に記載の方法。
［Ｃ１２］  前記リストがオペレータ構成可能である、Ｃ７に記載の方法。
［Ｃ１３］  前記リストが、アクセスポイントの少なくとも１つの指定されたタイプに関連付けられた、Ｃ７に記載の方法。
［Ｃ１４］  前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、Ｃ１３に記載の方法。
［Ｃ１５］  前記アクセスポイントのタイプを示す情報をサーバに送信することと、
前記サーバから、前記タイプに基づく前記リストを受信することと
をさらに備える、Ｃ７に記載の方法。
［Ｃ１６］  前記リストが地理的領域に関連付けられた、Ｃ７に記載の方法。
［Ｃ１７］  前記リストが前記アクセスポイントのロケーションに基づく、Ｃ７に記載の方法。
［Ｃ１８］  前記アクセスポイントのロケーションを示す情報をサーバに送信することと、
前記サーバから、前記ロケーションを示す前記情報に基づく前記リストを受信することと
をさらに備える、Ｃ７に記載の方法。
［Ｃ１９］  前記少なくとも１つの識別子の前記判断が、前記少なくとも１つの他のアクセスポイントから無線で識別子情報を受信することを備える、Ｃ１に記載の方法。
［Ｃ２０］  前記少なくとも１つの識別子の前記判断が、少なくとも１つの関連するユーザ機器から識別子情報を受信することを備える、Ｃ１に記載の方法。
［Ｃ２１］  前記少なくとも１つの識別子の前記判断が、バックホールを介して識別子情報を受信することを備える、Ｃ１に記載の方法。
［Ｃ２２］  前記少なくとも１つの識別子の前記判断が、前記少なくとも１つの識別子を含む少なくとも１つのネイバー報告を受信することを備える、Ｃ１に記載の方法。
［Ｃ２３］  前記少なくとも１つの識別子の前記判断が、少なくとも１つのマルチホップネイバーアクセスポイントの少なくとも１つの識別子を受信することを備える、Ｃ１に記載の方法。
［Ｃ２４］  前記少なくとも１つのマルチホップネイバーアクセスポイントの前記少なくとも１つの識別子が、少なくとも１つのネイバー報告によって受信される、Ｃ２３に記載の方法。
［Ｃ２５］  前記アクセスポイントのための前記識別子の前記選択が、
前記アクセスポイントへのホップの関連する数に従って、前記少なくとも１つの識別子の各識別子を分類することと、
競合しない識別子が利用可能でない場合、前記分類に基づいて識別子を選択することと
を備える、Ｃ２３に記載の方法。
［Ｃ２６］  前記少なくとも１つの識別子の前記判断が、
第１のホップアクセスポイントから、第２のホップまたは第３のホップアクセスポイントに関係する情報を受信することと、
前記第２のホップまたは第３のホップアクセスポイントによって使用される識別子を判断するために、前記第２のホップまたは第３のホップアクセスポイントと通信することとを備える、Ｃ１に記載の方法。
［Ｃ２７］  前記少なくとも１つの他のアクセスポイントの１つから第１のネイバー報告を受信することと、
前記第１のネイバー報告によって識別された任意のアクセスポイントを識別する第２のネイバー報告を生成することと、
ネイバー発見要求に応答して前記第２のネイバー報告を送信することと
をさらに備える、Ｃ１に記載の方法。
［Ｃ２８］  少なくとも１つのネイバーアクセスポイントから無線で信号を受信することによって前記少なくとも１つの他のアクセスポイントを識別することをさらに備える、Ｃ１に記載の方法。
［Ｃ２９］  構成サーバから少なくとも１つのネイバーアクセスポイントの指示を受信することによって前記少なくとも１つの他のアクセスポイントを識別することをさらに備える、Ｃ１に記載の方法。
［Ｃ３０］  前記判断された少なくとも１つの識別子と前記アクセスポイントのために前に指定された識別子との間の競合を識別することと、
前記競合の前記識別に応答して前記アクセスポイントのための競合しない識別子を指定することと
をさらに備える、Ｃ１に記載の方法。
［Ｃ３１］  前記競合の前記識別が、関連するユーザ機器から前記競合の指示を受信することを備える、Ｃ３０に記載の方法。
［Ｃ３２］  前記アクセスポイントがフェムトノードまたはリレーノードを備える、Ｃ１に記載の方法。
［Ｃ３３］  通信のための装置であって、
アクセスポイントにおいて、少なくとも１つの他のアクセスポイントによって送信された少なくとも１つの識別子を判断するように構成された識別子判断器と、
前記少なくとも１つの識別子に基づいて前記アクセスポイントによって送信されるべき識別子を選択するように構成された識別子選択器と
を備える装置。
［Ｃ３４］  前記選択された識別子が、パイロット識別子、物理セル識別子、またはプライマリスクランブル系列を備える、Ｃ３３に記載の装置。
［Ｃ３５］  前記アクセスポイントがｅＮｏｄｅＢを備え、前記少なくとも１つの他のアクセスポイントが少なくとも１つの他のｅＮｏｄｅＢを備える、Ｃ３４に記載の装置。
［Ｃ３６］  前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、Ｃ３４に記載の装置。
［Ｃ３７］  前記物理セル識別子の前記選択が、前記削除の後、前記リストから物理セル識別子をランダムに選択することを備える、Ｃ３６に記載の装置。
［Ｃ３８］  前記識別子の前記選択が、前記少なくとも１つの他のアクセスポイントによって使用されない識別子を選択することを備える、Ｃ３３に記載の装置。
［Ｃ３９］  前記識別子の前記選択が、識別子のリストから前記識別子を選択することを備える、Ｃ３３に記載の装置。
［Ｃ４０］  前記リストが識別子のセットのうちのサブセットを備える、Ｃ３９に記載の装置。
［Ｃ４１］  前記識別子の前記選択が、前記リストからランダムな方法で前記識別子を選択することをさらに備える、Ｃ３９に記載の装置。
［Ｃ４２］  前記リストが、アクセスポイントの少なくとも１つの指定されたタイプに関連付けられた、Ｃ３９に記載の装置。
［Ｃ４３］  前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、Ｃ４２に記載の装置。
［Ｃ４４］  前記リストが地理的領域に関連付けられた、Ｃ３９に記載の装置。
［Ｃ４５］  前記リストが前記アクセスポイントのロケーションに基づく、Ｃ３９に記載の装置。
［Ｃ４６］  前記少なくとも１つの識別子の前記判断が、前記少なくとも１つの他のアクセスポイントから無線で識別子情報を受信することを備える、Ｃ３３に記載の装置。
［Ｃ４７］  前記少なくとも１つの識別子の前記判断が、少なくとも１つの関連するユーザ機器から識別子情報を受信することを備える、Ｃ３３に記載の装置。
［Ｃ４８］  前記少なくとも１つの識別子の前記判断が、バックホールを介して識別子情報を受信することを備える、Ｃ３３に記載の装置。
［Ｃ４９］  前記少なくとも１つの識別子の前記判断が、前記少なくとも１つの識別子を含む少なくとも１つのネイバー報告を受信することを備える、Ｃ３３に記載の装置。
［Ｃ５０］  前記少なくとも１つの識別子の前記判断が、少なくとも１つのマルチホップネイバーアクセスポイントの少なくとも１つの識別子を受信することを備える、Ｃ３３に記載の装置。
［Ｃ５１］  前記少なくとも１つのマルチホップネイバーアクセスポイントの前記少なくとも１つの識別子が、少なくとも１つのネイバー報告によって受信される、Ｃ５０に記載の装置。
［Ｃ５２］  通信のための装置であって、
アクセスポイントにおいて、少なくとも１つの他のアクセスポイントによって送信された少なくとも１つの識別子を判断するための手段と、
前記少なくとも１つの識別子に基づいて前記アクセスポイントによって送信されるべき識別子を選択するための手段と
を備える装置。
［Ｃ５３］  前記選択された識別子が、パイロット識別子、物理セル識別子、またはプライマリスクランブル系列を備える、Ｃ５２に記載の装置。
［Ｃ５４］  前記アクセスポイントがｅＮｏｄｅＢを備え、前記少なくとも１つの他のアクセスポイントが少なくとも１つの他のｅＮｏｄｅＢを備える、Ｃ５３に記載の装置。
［Ｃ５５］  前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、Ｃ５３に記載の装置。
［Ｃ５６］  前記物理セル識別子の前記選択が、前記削除の後、前記リストから物理セル識別子をランダムに選択することを備える、Ｃ５５に記載の装置。
［Ｃ５７］  前記識別子の前記選択が、前記少なくとも１つの他のアクセスポイントによって使用されない識別子を選択することを備える、Ｃ５２に記載の装置。
［Ｃ５８］  前記識別子の前記選択が、識別子のリストから前記識別子を選択することを備える、Ｃ５２に記載の装置。
［Ｃ５９］  前記リストが識別子のセットのうちのサブセットを備える、Ｃ５８に記載の装置。
［Ｃ６０］  前記識別子の前記選択が、前記リストからランダムな方法で前記識別子を選択することをさらに備える、Ｃ５８に記載の装置。
［Ｃ６１］  前記リストが、アクセスポイントの少なくとも１つの指定されたタイプに関連付けられた、Ｃ５８に記載の装置。
［Ｃ６２］  前記少なくとも１つの指定されたタイプが、アクセスポイント送信電力と、アクセスポイントモビリティと、前記アクセスポイントがシグナリング、データアクセス、登録、ページング、またはサービスのうちの少なくとも１つを少なくとも１つのノードに与えないように制限されるかどうか、とからなるグループのうちの少なくとも１つに関する、Ｃ６１に記載の装置。
［Ｃ６３］  前記リストが地理的領域に関連付けられた、Ｃ５８に記載の装置。
［Ｃ６４］  前記リストが前記アクセスポイントのロケーションに基づく、Ｃ５８に記載の装置。
［Ｃ６５］  前記少なくとも１つの識別子の前記判断が、前記少なくとも１つの他のアクセスポイントから無線で識別子情報を受信することを備える、Ｃ５２に記載の装置。
［Ｃ６６］  前記少なくとも１つの識別子の前記判断が、少なくとも１つの関連するユーザ機器から識別子情報を受信することを備える、Ｃ５２に記載の装置。
［Ｃ６７］  前記少なくとも１つの識別子の前記判断が、バックホールを介して識別子情報を受信することを備える、Ｃ５２に記載の装置。
［Ｃ６８］  前記少なくとも１つの識別子の前記判断が、前記少なくとも１つの識別子を含む少なくとも１つのネイバー報告を受信することを備える、Ｃ５２に記載の装置。
［Ｃ６９］  前記少なくとも１つの識別子の前記判断が、少なくとも１つのマルチホップネイバーアクセスポイントの少なくとも１つの識別子を受信することを備える、Ｃ５２に記載の装置。
［Ｃ７０］  前記少なくとも１つのマルチホップネイバーアクセスポイントの前記少なくとも１つの識別子が、少なくとも１つのネイバー報告によって受信される、Ｃ６９に記載の装置。
［Ｃ７１］  アクセスポイントにおいて、少なくとも１つの他のアクセスポイントによって送信された少なくとも１つの識別子を判断することと、
前記少なくとも１つの識別子に基づいて前記アクセスポイントによって送信されるべき識別子を選択することと
をコンピュータに行わせるためのコードを備えるコンピュータ可読媒体を備えるコンピュータプログラム製品。
［Ｃ７２］  前記選択された識別子が、パイロット識別子、物理セル識別子、またはプライマリスクランブル系列を備える、Ｃ７１に記載のコンピュータプログラム製品。
［Ｃ７３］  前記アクセスポイントがｅＮｏｄｅＢを備え、前記少なくとも１つの他のアクセスポイントが少なくとも１つの他のｅＮｏｄｅＢを備える、Ｃ７２に記載のコンピュータプログラム製品。
［Ｃ７４］  前記識別子の前記選択が、
物理セル識別子のリストを受信することと、
ユーザ機器によって報告された物理セル識別子と、ネイバーｅＮｏｄｅＢによって報告された物理セル識別子と、ダウンリンク受信機を使用して無線で受信された物理セル識別子とからなるグループのうちの少なくとも１つを、前記リストから削除することと、
前記削除の後、前記リストから前記アクセスポイントに関連付けられたセルのための物理セル識別子を選択することと
を備える、Ｃ７２に記載のコンピュータプログラム製品。
［Ｃ７５］  前記物理セル識別子の前記選択が、前記削除の後、前記リストから物理セル識別子をランダムに選択することを備える、Ｃ７４に記載のコンピュータプログラム製品。
［Ｃ７６］  前記識別子の前記選択が、前記少なくとも１つの他のアクセスポイントによって使用されない識別子を選択することを備える、Ｃ７１に記載のコンピュータプログラム製品。
［Ｃ７７］  前記識別子の前記選択が、識別子のリストから前記識別子を選択することを備える、Ｃ７１に記載のコンピュータプログラム製品。
［Ｃ７８］  前記リストが、アクセスポイントの少なくとも１つの指定されたタイプに関連付けられた、Ｃ７７に記載のコンピュータプログラム製品。
［Ｃ７９］  前記リストが前記アクセスポイントのロケーションに基づく、Ｃ７７に記載のコンピュータプログラム製品。
［Ｃ８０］  前記少なくとも１つの識別子の前記判断が、前記少なくとも１つの他のアクセスポイントから無線で識別子情報を受信することと、少なくとも１つの関連するユーザ機器から識別子情報を受信することと、バックホールを介して識別子情報を受信することと、前記少なくとも１つの識別子を含む少なくとも１つのネイバー報告を受信することとからなるグループのうちの少なくとも１つを備える、Ｃ７１に記載のコンピュータプログラム製品。